(57)【要約】【課題】携帯情報端末装置を用いて放射線画像を撮影する場合のユーザの利便性を向上することができる放射線画像撮影システム、放射線画像撮影装置、携帯情報端末装置、及び放射線画像の撮影方法を提供する。【解決手段】コンソール１８を用いずに放射線画像の撮影を行う場合、放射線画像撮影装置１４は、画像ＩＤを生成して、携帯情報端末装置１６に送信する。携帯情報端末装置１６は、受信した画像ＩＤと患者ＩＤとを関連付けて記憶部３２に記憶する。また、放射線画像撮影装置１４は、撮影した放射線画像の画像データと、画像ＩＤとを関連付けて記憶部２４に記憶する。撮影が終了した後に、別途、コンソール１８は、携帯情報端末装置１６から、関連付けられた画像ＩＤと患者ＩＤとを受信する。また、コンソール１８は、放射線画像撮影装置１４から関連付けられた画像ＩＤと画像データとを受信する。【選択図】図２
2016034470.tif 000002
【特許請求の範囲】
【請求項１】
撮影対象の放射線画像を撮影する機能を有する放射線画像撮影装置と、
携帯情報端末装置と、
前記放射線画像の画像情報と前記画像情報を特定する特定情報とが関連付けられて記憶される第１記憶部と、
前記撮影対象に関する撮影対象情報と前記特定情報とが関連付けられて記憶される、前記第１記憶部と異なる第２記憶部と、
を備え、
前記放射線画像撮影装置または前記携帯情報端末装置で前記画像情報を特定する特定情報を生成し、
前記放射線画像撮影装置は、前記特定情報と、前記画像情報とを関連付けて前記第１記憶部に記憶し、
前記携帯情報端末装置は、前記撮影対象情報と前記特定情報とを関連付けて、前記第２記憶部に記憶した場合に、関連付情報を生成して外部に送信し、
前記携帯情報端末装置から送信された前記関連付情報を、前記放射線画像撮影装置が受信する、
放射線画像撮影システム。
【請求項２】
前記放射線画像撮影装置は、
前記第１記憶部と、
前記放射線画像を撮影する機能を有する撮影部と、
前記特定情報を生成する第１生成部と、
前記画像情報と、前記第１生成部により生成された前記特定情報と、を関連付けて、前記第１記憶部に記憶する制御を行う第１制御部と、
前記特定情報を前記携帯情報端末装置に送信する第１送信部と、
前記携帯情報端末装置から前記関連付情報を受信する第１受信部と、
を含み、
前記携帯情報端末装置は、
前記第２記憶部と、
前記特定情報を前記放射線画像撮影装置から受信する第２受信部と、
前記撮影対象情報を取得する取得部と、
前記取得部により取得された前記撮影対象情報と、前記第２受信部により受信された前記特定情報と、を関連付けて、前記第２記憶部に記憶する制御を行う第２制御部と、
前記第２制御部により、前記撮影対象情報と、前記特定情報と、が関連付けられて記憶された場合に、前記関連付情報を生成する第２生成部と、
前記第２生成部により生成された前記関連付情報を前記放射線画像撮影装置に送信する第２送信部と、
を含む、請求項１に記載の放射線画像撮影システム。
【請求項３】
前記携帯情報端末装置は、前記関連付情報を生成した場合に、前記放射線画像撮影装置に、放射線画像の撮影を許可する、
請求項１または請求項２に記載の放射線画像撮影システム。
【請求項４】
前記放射線画像撮影装置は、
前記撮影部による放射線画像の撮影前に、前記第１生成部により前記特定情報を生成して、前記第１送信部により前記特定情報を送信し、
前記第１制御部は、前記特定情報の送信後に前記第１受信部が前記関連付情報を受信した場合に、前記撮影部に放射線画像の撮影を許可する、
請求項２に記載の放射線画像撮影システム。
【請求項５】
前記放射線画像撮影装置は、
前記撮影部による放射線画像の撮影後に、前記第１送信部により前記特定情報を送信し、
前記第１制御部は、前記特定情報の送信後に前記第１受信部が前記関連付情報を受信した場合に、前記撮影部に次回の放射線画像の撮影を許可する、
請求項２に記載の放射線画像撮影システム。
【請求項６】
前記撮影部による放射線画像の撮影後に、前記第１生成部により該撮影により得られた画像情報を特定する前記特定情報を生成する、
請求項５に記載の放射線画像撮影システム。
【請求項７】
前記携帯情報端末装置は、
ユーザが前記撮影対象情報を入力する操作を行う操作部、
及び第２受信部により前記特定情報が受信された場合に、受信された前記特定情報に対してユーザが前記操作部により入力した前記撮影対象情報を受け付ける第１受付部、
をさらに含み、
取得部は、前記第１受付部で受け付けた前記撮影対象情報を取得する、
請求項２から請求項６のいずれか一項に記載の放射線画像撮影システム。
【請求項８】
前記携帯情報端末装置は、
第２受信部により受信された前記特定情報を表示する第１表示部、
をさらに含み、
第２制御部は、前記第２受信部により受信された前記特定情報を前記第１表示部に表示する制御を行う、
請求項２から請求項７のいずれか一項に記載の放射線画像撮影システム。
【請求項９】
前記携帯情報端末装置は、
取得部により取得された前記撮影対象情報を表示する第２表示部、
及び前記第２表示部に表示された前記撮影対象情報に対してユーザが行った修正を受け付ける第２受付部、
をさらに含み、
第２制御部は、前記取得部により取得された前記撮影対象情報を前記第２表示部に表示する制御を行い、また、前記第２受付部により受け付けられた修正により修正後の前記撮影対象情報と、前記特定情報と、を関連付けて、前記第２記憶部に記憶する制御を行う、
請求項２から請求項８のいずれか一項に記載の放射線画像撮影システム。
【請求項１０】
前記放射線画像撮影装置を複数備え、
前記携帯情報端末装置の第２制御部は、前記放射線画像撮影装置の第１送信部により送信されて第２受信部により受信された前記特定情報に、該特定情報の送信元の前記放射線画像撮影装置を表す情報を関連付けて、前記第２記憶部にさらに記憶する制御を行う、
請求項２から請求項９のいずれか一項に記載の放射線画像撮影システム。
【請求項１１】
前記放射線画像撮影装置を複数備え、
前記携帯情報端末装置は、複数の前記放射線画像撮影装置のうち少なくとも一つの前記放射線画像撮影装置が指定される指定部を含み、
第２制御部は、前記指定部に指定された前記放射線画像撮影装置を表す情報を、該放射線画像撮影装置の第１送信部により送信されて第２受信部により受信された前記特定情報に関連付けて、前記第２記憶部にさらに記憶する制御を行う、
請求項２から請求項１０のいずれか一項に記載の放射線画像撮影システム。
【請求項１２】
前記携帯情報端末装置の前記第２制御部は、前記指定部に指定された前記放射線画像撮影装置と異なる前記放射線画像撮影装置から前記特定情報を、前記第２受信部が受信した場合は、前記特定情報の送信元の前記放射線画像撮影装置を表す情報を、前記特定情報に関連付けて、前記第２記憶部にさらに記憶する制御を行う、
請求項１１に記載の放射線画像撮影システム。
【請求項１３】
前記第１記憶部は、複数の、前記画像情報と第１生成部により生成された前記特定情報とを関連付けて記憶する、
請求項２から請求項１２のいずれか一項に記載の放射線画像撮影システム。
【請求項１４】
同一の前記特定情報に関連付けられた前記画像情報と、前記撮影対象情報と、が関連付けられて記憶される第３記憶部、
前記放射線画像撮影装置から前記画像情報及び対応する前記特定情報を受信し、また、前記携帯情報端末装置から前記撮影対象情報及び該撮影対象情報に関連付けられた前記特定情報を受信する第３受信部、
前記放射線画像撮影装置による放射線画像の撮影を制御し、また、同一の前記特定情報に関連付けられた前記画像情報と、前記撮影対象情報と、を関連付けて、前記第３記憶部に記憶する制御を行う第３制御部、
を含む、制御装置をさらに備えた、
請求項２から請求項１３のいずれか一項に記載の放射線画像撮影システム。
【請求項１５】
前記携帯情報端末装置は、前記放射線画像撮影装置による放射線画像の撮影を制御する第４制御部をさらに含む、
請求項２から請求項１４のいずれか一項に記載の放射線画像撮影システム。
【請求項１６】
前記携帯情報端末装置は、
同一の前記特定情報に関連付けられた前記画像情報と、前記撮影対象情報と、が関連付けられて記憶される第３記憶部、
前記放射線画像撮影装置から第２受信部により受信された前記特定情報に対応する前記画像情報を受信する第３受信部、
前記放射線画像撮影装置による放射線画像の撮影を制御し、また、同一の前記特定情報に関連付けられた前記画像情報と前記撮影対象情報とを関連付けて前記第３記憶部に記憶する制御を行う第３制御部、
をさらに含む、
請求項２から請求項１３のいずれか一項に記載の放射線画像撮影システム。
【請求項１７】
前記放射線画像撮影装置と前記携帯情報端末装置とは、電波による無線通信、及び光による光通信の少なくとも一方により通信を行う、
請求項２から請求項１６のいずれか一項に記載の放射線画像撮影システム。
【請求項１８】
前記放射線画像撮影装置は、
前記放射線画像の画像データから、プレビュー画像を生成する第３生成部と、
前記第３生成部が生成した前記プレビュー画像の画像情報を携帯情報端末装置に送信する第３送信部と、をさらに備え、
前記携帯情報端末装置は、
前記プレビュー画像を放射線画像撮影装置から受信する第４受信部と、
前記第４受信部により受信された前記プレビュー画像を表示する第３表示部と、をさらに備える、
請求項２から請求項１７のいずれか１項に記載の放射線画像撮影システム。
【請求項１９】
前記放射線画像撮影装置は、
前記撮影部が撮影した放射線画像が、放射線の誤検出に基づいて撮影されたか否かを判断する判断部をさらに備え、
前記第３生成部は、前記判断部が、放射線の誤検出に基づいて撮影されたと判断した場合に、前記プレビュー画像を生成する、
請求項１８に記載の放射線画像撮影システム。
【請求項２０】
前記放射線画像撮影装置は、
前記撮影部が撮影した放射線画像が、放射線の誤検出に基づいて撮影されたか否かを判断する判断部をさらに備え、
前記第３生成部は、前記判断部が、放射線の誤検出に基づいて撮影されたと判断した場合は、前記プレビュー画像を生成しない、
請求項１８に記載の放射線画像撮影システム。
【請求項２１】
前記特定情報が生成された放射線画像が、前記判断部により放射線の誤検出に基づいて撮影されたと判断された後に、新たに前記撮影部で放射線画像が撮影された場合は、
前記第１制御部は、前記第１生成部に前記特定情報を生成させずに、新たに前記撮影部で撮影された放射線画像の画像情報と、前記判断部により放射線の誤検出に基づいて撮影されたと判断された放射線画像の画像情報を特定する前記特定情報と、を関連付けて、前記第１記憶部に記憶する制御を行う、
請求項２０に記載の放射線画像撮影システム。
【請求項２２】
前記放射線画像撮影装置は、
前記第１記憶部と、
前記放射線画像を撮影する機能を有する撮影部と、
前記画像情報と、前記特定情報と、を関連付けて、前記第１記憶部に記憶する制御を行う第１制御部と、
前記特定情報を前記携帯情報端末装置に送信する第１送信部と、
前記携帯情報端末装置から前記関連付情報及び前記特定情報を受信する第１受信部と、
を含み、
前記携帯情報端末装置は、
前記第２記憶部と、
前記撮影対象情報を取得する取得部と、
前記特定情報を生成する第１生成部と、
前記取得部により取得された前記撮影対象情報と、前記特定情報と、を関連付けて、前記第２記憶部に記憶する制御を行う第２制御部と、
前記第２制御部により、前記撮影対象情報と、前記特定情報と、が関連付けられて記憶された場合に、前記関連付情報を生成する第２生成部と、
前記第２生成部により生成された前記関連付情報を前記放射線画像撮影装置に送信する第２送信部と、
を含む、請求項１に記載の放射線画像撮影システム。
【請求項２３】
撮影対象の放射線画像を撮影する機能を有する撮影部と、
前記放射線画像の画像情報を特定する特定情報を生成する第１生成部と、
前記画像情報と、前記第１生成部により生成された前記特定情報と、が関連付けて記憶される第１記憶部と、
前記画像情報と、前記第１生成部により生成された前記特定情報と、を関連付けて、前記第１記憶部に記憶する制御を行う第１制御部と、
前記特定情報を送信する第１送信部と、
前記撮影対象に関する撮影対象情報と、前記特定情報と、が関連付けられて記憶されたことを表す関連付情報を、携帯情報端末装置から受信する第１受信部と、
を含む放射線画像撮影装置。
【請求項２４】
放射線画像撮影装置から、前記放射線画像撮影装置で撮影された撮影対象の放射線画像の画像情報を特定する特定情報を受信する第２受信部と、
前記撮影対象に関する撮影対象情報を取得する取得部と、
前記取得部により取得された前記撮影対象情報と、前記第２受信部により受信された前記特定情報と、が関連付けて記憶される第２記憶部と、
前記取得部により取得された前記撮影対象情報と、前記第２受信部により受信された前記特定情報と、を関連付けて、前記第２記憶部に記憶する制御を行う第２制御部と、
前記第２制御部により前記撮影対象情報と前記特定情報とが関連付けられて記憶された場合に関連付情報を前記放射線画像撮影装置に送信する第２送信部と、
を含む携帯情報端末装置。
【請求項２５】
撮影対象の放射線画像を撮影する機能を有する放射線画像撮影装置と、携帯情報端末装置と、前記放射線画像の画像情報と前記画像情報を特定する特定情報とが関連付けられて記憶される第１記憶部と、前記撮影対象に関する撮影対象情報と前記特定情報とが関連付けられて記憶される、前記第１記憶部と異なる第２記憶部と、を備えた放射線画像撮影システムによる放射線画像の撮影方法であって、
前記放射線画像撮影装置または前記携帯情報端末装置で前記放射線画像の画像情報を特定する特定情報を生成し、
前記放射線画像撮影装置は、前記特定情報と、前記画像情報とを関連付けて第１記憶部に記憶し、
前記携帯情報端末装置は、前記撮影対象に関する撮影対象情報と前記特定情報とを関連付けて、前記第１記憶部と異なる第２記憶部に記憶した場合に、関連付情報を生成して外部に送信し、
前記携帯情報端末装置から送信された前記関連付情報を、前記放射線画像撮影装置が受信する、
放射線画像の撮影方法。
【発明の詳細な説明】
【技術分野】
【０００１】
本発明は、放射線画像撮影システム、放射線画像撮影装置、携帯情報端末装置、及び放射線画像の撮影方法に関する。
【背景技術】
【０００２】
近年、放射線画像を撮影する際に、大型の装置や、コンソール等を使用する場合に比べて、使用が容易であるため、ＰＤＡ（Personal Digital Assistance）である携帯情報端末装置が用いられるようになっている。ＰＤＡを用いて放射線画像の撮影を行う技術として、例えば、特許文献１に記載の技術が知られている。
【先行技術文献】
【特許文献】
【０００３】
【特許文献１】特開２００５−３０１４９２号公報
【発明の概要】
【発明が解決しようとする課題】
【０００４】
ＰＤＡを用いて放射線画像の撮影を行う場合に、ＰＤＡがコンソールに比べて、機能や動作等が制限される場合があるため、放射線技師等のユーザ利便性などについて改善の余地がある。
【０００５】
本発明は、上記問題点を解決するために成されたものであり、携帯情報端末装置を用いて放射線画像を撮影する場合のユーザの利便性を向上することができる放射線画像撮影システム、放射線画像撮影装置、携帯情報端末装置、及び放射線画像の撮影方法を提供することを目的とする。
【課題を解決するための手段】
【０００６】
上記目的を達成するために、本発明の放射線画像撮影システムは、撮影対象の放射線画像を撮影する機能を有する放射線画像撮影装置と、携帯情報端末装置と、放射線画像の画像情報と画像情報を特定する特定情報とが関連付けられて記憶される第１記憶部と、撮影対象に関する撮影対象情報と特定情報とが関連付けられて記憶される、第１記憶部と異なる第２記憶部と、を備え、放射線画像撮影装置または携帯情報端末装置で画像情報を特定する特定情報を生成し、放射線画像撮影装置は、特定情報と、画像情報とを関連付けて第１記憶部に記憶し、携帯情報端末装置は、撮影対象情報と特定情報とを関連付けて、第２記憶部に記憶した場合に、関連付情報を生成して外部に送信し、携帯情報端末装置から送信された関連付情報を、放射線画像撮影装置が受信する。
【０００７】
また、本発明の放射線画像撮影システムの放射線画像撮影装置は、第１記憶部と、放射線画像を撮影する機能を有する撮影部と、特定情報を生成する第１生成部と、画像情報と、第１生成部により生成された特定情報と、を関連付けて、第１記憶部に記憶する制御を行う第１制御部と、特定情報を携帯情報端末装置に送信する第１送信部と、携帯情報端末装置から関連付情報を受信する第１受信部と、を含み、携帯情報端末装置は、第２記憶部と、特定情報を放射線画像撮影装置から受信する第２受信部と、撮影対象情報を取得する取得部と、取得部により取得された撮影対象情報と、第２受信部により受信された特定情報と、を関連付けて、第２記憶部に記憶する制御を行う第２制御部と、第２制御部により、撮影対象情報と、特定情報と、が関連付けられて記憶された場合に、関連付情報を生成する第２生成部と、第２生成部により生成された関連付情報を放射線画像撮影装置に送信する第２送信部と、を含んでもよい。
【０００８】
また、本発明の放射線画像撮影システムの放射線画像撮影装置の携帯情報端末装置は、関連付情報を生成した場合に、放射線画像撮影装置に、放射線画像の撮影を許可してもよい。
【０００９】
また、本発明の放射線画像撮影システムの放射線画像撮影装置は、撮影部による放射線画像の撮影前に、第１生成部により特定情報を生成して、第１送信部により特定情報を送信し、第１制御部は、特定情報の送信後に第１受信部が関連付情報を受信した場合に、撮影部に放射線画像の撮影を許可してもよい。
【００１０】
また、本発明の放射線画像撮影システムの放射線画像撮影装置は、撮影部による放射線画像の撮影後に、第１送信部により特定情報を送信し、第１制御部は、特定情報の送信後に第１受信部が関連付情報を受信した場合に、撮影部に次回の放射線画像の撮影を許可してもよい。
【００１１】
また、本発明の放射線画像撮影システムは、撮影部による放射線画像の撮影後に、第１生成部により撮影により得られた画像情報を特定する特定情報を生成してもよい。
【００１２】
また、本発明の放射線画像撮影システムの携帯情報端末装置は、ユーザが撮影対象情報を入力する操作を行う操作部、及び第２受信部により特定情報が受信された場合に、受信された特定情報に対してユーザが操作部により入力した撮影対象情報を受け付ける第１受付部、をさらに含み、取得部は、第１受付部で受け付けた撮影対象情報を取得してもよい。
【００１３】
また、本発明の放射線画像撮影システムの携帯情報端末装置は、第２受信部により受信された特定情報を表示する第１表示部、をさらに含み、第２制御部は、第２受信部により受信された特定情報を第１表示部に表示する制御を行ってもよい。
【００１４】
また、本発明の放射線画像撮影システムの携帯情報端末装置は、取得部により取得された撮影対象情報を表示する第２表示部、及び第２表示部に表示された撮影対象情報に対してユーザが行った修正を受け付ける第２受付部、をさらに含み、第２制御部は、取得部により取得された撮影対象情報を第２表示部に表示する制御を行い、また、第２受付部により受け付けられた修正により修正後の撮影対象情報と、特定情報と、を関連付けて、第２記憶部に記憶する制御を行ってもよい。
【００１５】
また、本発明の放射線画像撮影システムは、放射線画像撮影装置を複数備え、携帯情報端末装置の第２制御部は、放射線画像撮影装置の第１送信部により送信されて第２受信部により受信された特定情報に、特定情報の送信元の放射線画像撮影装置を表す情報を関連付けて、第２記憶部にさらに記憶する制御を行ってもよい。
【００１６】
また、本発明の放射線画像撮影システムは、放射線画像撮影装置を複数備え、携帯情報端末装置は、複数の放射線画像撮影装置のうち少なくとも一つの放射線画像撮影装置が指定される指定部を含み、第２制御部は、指定部に指定された放射線画像撮影装置を表す情報を、放射線画像撮影装置の第１送信部により送信されて第２受信部により受信された特定情報に関連付けて、第２記憶部にさらに記憶する制御を行ってもよい。
【００１７】
また、本発明の放射線画像撮影システムの携帯情報端末装置の第２制御部は、指定部に指定された放射線画像撮影装置と異なる放射線画像撮影装置から特定情報を、第２受信部が受信した場合は、特定情報の送信元の放射線画像撮影装置を表す情報を、特定情報に関連付けて、第２記憶部にさらに記憶する制御を行ってもよい。
【００１８】
また、本発明の放射線画像撮影システムの第１記憶部は、複数の、画像情報と第１生成部により生成された特定情報とを関連付けて記憶してもよい。
【００１９】
また、本発明の放射線画像撮影システムは、同一の特定情報に関連付けられた画像情報と、撮影対象情報と、が関連付けられて記憶される第３記憶部、放射線画像撮影装置から画像情報及び対応する特定情報を受信し、また、携帯情報端末装置から撮影対象情報及び撮影対象情報に関連付けられた特定情報を受信する第３受信部、放射線画像撮影装置による放射線画像の撮影を制御し、また、同一の特定情報に関連付けられた画像情報と、撮影対象情報と、を関連付けて、第３記憶部に記憶する制御を行う第３制御部、を含む、制御装置をさらに備えてもよい。
【００２０】
また、本発明の放射線画像撮影システムの携帯情報端末装置は、放射線画像撮影装置による放射線画像の撮影を制御する第４制御部をさらに含んでもよい。
【００２１】
また、本発明の放射線画像撮影システムの携帯情報端末装置は、同一の特定情報に関連付けられた画像情報と、撮影対象情報と、が関連付けられて記憶される第３記憶部、放射線画像撮影装置から第２受信部により受信された特定情報に対応する画像情報を受信する第３受信部、放射線画像撮影装置による放射線画像の撮影を制御し、また、同一の特定情報に関連付けられた画像情報と撮影対象情報とを関連付けて第３記憶部に記憶する制御を行う第３制御部、をさらに含んでもよい。
【００２２】
また、本発明の放射線画像撮影システムの放射線画像撮影装置と携帯情報端末装置とは、電波による無線通信、及び光による光通信の少なくとも一方により通信を行ってもよい。
【００２３】
また、本発明の放射線画像撮影システムの放射線画像撮影装置は、放射線画像の画像データから、プレビュー画像を生成する第３生成部と、第３生成部が生成したプレビュー画像の画像情報を携帯情報端末装置に送信する第３送信部と、をさらに備え、携帯情報端末装置は、プレビュー画像を放射線画像撮影装置から受信する第４受信部と、第４受信部により受信されたプレビュー画像を表示する第３表示部と、をさらに備えてもよい。
【００２４】
また、本発明の放射線画像撮影システムの放射線画像撮影装置は、撮影部が撮影した放射線画像が、放射線の誤検出に基づいて撮影されたか否かを判断する判断部をさらに備え、第３生成部は、判断部が、放射線の誤検出に基づいて撮影されたと判断した場合に、プレビュー画像を生成してもよい。
【００２５】
また、本発明の放射線画像撮影システムの放射線画像撮影装置は、撮影部が撮影した放射線画像が、放射線の誤検出に基づいて撮影されたか否かを判断する判断部をさらに備え、第３生成部は、判断部が、放射線の誤検出に基づいて撮影されたと判断した場合は、プレビュー画像を生成しなくてもよい。
【００２６】
また、本発明の放射線画像撮影システムは、特定情報が生成された放射線画像が、判断部により放射線の誤検出に基づいて撮影されたと判断された後に、新たに撮影部で放射線画像が撮影された場合は、第１制御部は、第１生成部に特定情報を生成させずに、新たに撮影部で撮影された放射線画像の画像情報と、判断部により放射線の誤検出に基づいて撮影されたと判断された放射線画像の画像情報を特定する特定情報と、を関連付けて、第１記憶部に記憶する制御を行ってもよい。
【００２７】
また、本発明の放射線画像撮影システムの放射線画像撮影装置は、第１記憶部と、放射線画像を撮影する機能を有する撮影部と、画像情報と、特定情報と、を関連付けて、第１記憶部に記憶する制御を行う第１制御部と、特定情報を携帯情報端末装置に送信する第１送信部と、携帯情報端末装置から関連付情報及び特定情報を受信する第１受信部と、を含み、携帯情報端末装置は、第２記憶部と、撮影対象情報を取得する取得部と、特定情報を生成する第１生成部と、取得部により取得された撮影対象情報と、特定情報と、を関連付けて、第２記憶部に記憶する制御を行う第２制御部と、第２制御部により、撮影対象情報と、特定情報と、が関連付けられて記憶された場合に、関連付情報を生成する第２生成部と、第２生成部により生成された関連付情報を放射線画像撮影装置に送信する第２送信部と、を含んでもよい。
【００２８】
本発明の放射線画像撮影装置は、撮影対象の放射線画像を撮影する機能を有する撮影部と、放射線画像の画像情報を特定する特定情報を生成する第１生成部と、画像情報と、第１生成部により生成された特定情報と、が関連付けて記憶される第１記憶部と、画像情報と、第１生成部により生成された特定情報と、を関連付けて、第１記憶部に記憶する制御を行う第１制御部と、特定情報を送信する第１送信部と、撮影対象に関する撮影対象情報と、特定情報と、が関連付けられて記憶されたことを表す関連付情報を、携帯情報端末装置から受信する第１受信部と、を含む。
【００２９】
本発明の携帯情報端末装置は、放射線画像撮影装置から、放射線画像撮影装置で撮影された撮影対象の放射線画像の画像情報を特定する特定情報を受信する第２受信部と、撮影対象に関する撮影対象情報を取得する取得部と、取得部により取得された撮影対象情報と、第２受信部により受信された特定情報と、が関連付けて記憶される第２記憶部と、取得部により取得された撮影対象情報と、第２受信部により受信された特定情報と、を関連付けて、第２記憶部に記憶する制御を行う第２制御部と、第２制御部により撮影対象情報と特定情報とが関連付けられて記憶された場合に関連付情報を放射線画像撮影装置に送信する第２送信部と、を含む。
【００３０】
本発明の放射線画像の撮影方法は、撮影対象の放射線画像を撮影する機能を有する放射線画像撮影装置と、携帯情報端末装置と、放射線画像の画像情報と画像情報を特定する特定情報とが関連付けられて記憶される第１記憶部と、撮影対象に関する撮影対象情報と特定情報とが関連付けられて記憶される、第１記憶部と異なる第２記憶部と、を備えた放射線画像撮影システムによる放射線画像の撮影方法であって、放射線画像撮影装置または携帯情報端末装置で放射線画像の画像情報を特定する特定情報を生成し、放射線画像撮影装置は、特定情報と、画像情報とを関連付けて第１記憶部に記憶し、携帯情報端末装置は、撮影対象に関する撮影対象情報と特定情報とを関連付けて、第１記憶部と異なる第２記憶部に記憶した場合に、関連付情報を生成して外部に送信し、携帯情報端末装置から送信された関連付情報を、放射線画像撮影装置が受信する。
【発明の効果】
【００３１】
本発明によれば、携帯情報端末装置を用いて放射線画像を撮影する場合のユーザの利便性を向上することができるという効果が得られる。
【図面の簡単な説明】
【００３２】
【図１】第１の実施の形態に係る放射線画像撮影システムの一例の概略構成を示す概略構成図である。
【図２】第１の実施の形態に係る放射線画像撮影システムの放射線画像撮影装置、携帯情報端末装置、及びコンソールの一例の概略構成を示す機能ブロック図である。
【図３】第１の実施の形態の携帯情報端末装置に係る放射線画像撮影における処理の一例の流れを表したフローチャートである。
【図４】撮影装置ＩＤ、患者ＩＤ、及び画像ＩＤが関連付けられて携帯情報端末装置の記憶部に記憶された状態を示す説明図である。
【図５】第１の実施の形態の放射線画像撮影装置に係る放射線画像撮影における処理の一例の流れを表したフローチャートである。
【図６】画像ＩＤ及び画像データが関連付けられて放射線画像撮影装置の記憶部に記憶された状態を示す説明図である。
【図７】第１の実施の形態のコンソールに係る放射線画像撮影における処理の一例の流れを表したフローチャートである。
【図８】第２の実施の形態の携帯情報端末装置に係る放射線画像撮影における処理の一例の流れを表したフローチャートである。
【図９】第２の実施の形態の放射線画像撮影装置に係る放射線画像撮影における処理の一例の流れを表したフローチャートである。
【図１０】第３の実施の形態に係る放射線画像撮影システムの一例の概略構成を示す概略構成図である。
【図１１】第３の実施の形態の携帯情報端末装置に係る放射線画像撮影における処理の一例の流れを表したフローチャートである。
【図１２】携帯情報端末装置のディスプレイに放射線画像撮影装置の状態が表示された具体例を説明するための説明図である。
【図１３】第３の実施の形態の放射線画像撮影装置に係る放射線画像撮影における処理の一例の流れを表したフローチャートである。
【図１４】第４の実施の形態の携帯情報端末装置に係る放射線画像撮影における処理の一例の流れを表したフローチャートである。
【図１５】第４の実施の形態の放射線画像撮影装置に係る放射線画像撮影における処理の一例の流れを表したフローチャートである。
【図１６】第５の実施の形態の放射線画像撮影システムにおける画像ＩＤと患者ＩＤとの関連付けの概念を説明するための説明図である。
【図１７】第５の実施の形態に係る放射線画像撮影システムの放射線画像撮影装置、携帯情報端末装置、及びコンソールの一例の概略構成を示す機能ブロック図である。
【図１８】第５の実施の形態の携帯情報端末装置の制御部によって実行される処理の一例の流れを表したフローチャートである。
【図１９】携帯情報端末装置のディスプレイに撮影リストが表示された状態の具体例を示す概略図である。
【図２０】携帯情報端末装置のディスプレイにプレビュー画像が表示された状態の具体例を示す概略図である。
【図２１】携帯情報端末装置のディスプレイに撮影済みのオーダを含む撮影リストが表示された状態の具体例を示す概略図である。
【図２２】第５の実施の形態の制御部で実行される処理の流れの一例を表したフローチャートである。
【図２３】第６の実施の形態の携帯情報端末装置の制御部によって実行される処理の一例の流れを表したフローチャートである。
【図２４】場合の携帯情報端末装置のディスプレイにプレビュー画像が表示された状態の具体例を示す概略図である。
【図２５】第６の実施の形態の制御部で実行される処理の流れの一例を表したフローチャートである。
【図２６】第７の実施の形態の放射線画像撮影装置の制御部によって実行される処理の一例の流れを表したフローチャートである。
【図２７】携帯情報端末装置で画像ＩＤを生成する場合の放射線画像撮影における処理の一例の流れを表したフローチャートである。
【発明を実施するための形態】
【００３３】
以下、各図面を参照して本実施の形態の一例について説明する。
【００３４】
［第１の実施の形態］
【００３５】
本実施の形態では、放射線画像撮影装置が放射線画像を撮影する前に、特定情報の一例である画像ＩＤ（Identification）と、撮影対象情報の一例である患者ＩＤとを関連付ける場合の放射線画像撮影システムについて説明する。また、本実施の形態では、画像ＩＤを放射線画像撮影装置１４が生成する場合について説明する。
【００３６】
まず、本実施の形態の放射線画像撮影システムの概略構成について説明する。図１は、本実施の形態の放射線画像撮影システムの一例の概略構成図である。
【００３７】
放射線画像撮影システム１０は、放射線照射装置１２、放射線画像撮影装置１４、携帯情報端末装置１６、及びコンソール１８を備えている。
【００３８】
放射線照射装置１２は、放射線源１３を備えている。放射線照射装置１２は、放射線源１３から放射線Ｘ（例えばエックス線（Ｘ線）等）を撮影対象の一例である被検体Ｗに照射する機能を有している。放射線照射装置１２の具体例としては、回診車等が挙げられる。放射線照射装置１２から放射線Ｘを照射する照射方法は、特に限定されない。照射方法は、例えば、放射線照射装置１２が照射ボタン等を備えている場合は、放射線技師等のユーザが照射ボタンにより照射の指示を行うようにしてもよい。また、照射方法は、例えば、携帯情報端末装置１６から放射線技師等のユーザが照射の指示を行うようにしてもよい。なお、被検体Ｗは、人間に限らず、動物を含む、他の生物であってもよいし、また、無機物であってもよい。
【００３９】
放射線画像撮影装置１４は、放射線照射装置１２から照射され、被検体Ｗを透過した放射線Ｘを検出する放射線検出器２０を備えている（詳細後述）。放射線画像撮影装置１４は、撮影部の一例である放射線検出器２０を用いて、被検体Ｗの放射線画像を撮影する機能を有している。また、放射線画像撮影装置１４は、放射線画像の画像情報である画像データを特定する特定情報の一例として、画像ＩＤを生成して携帯情報端末装置１６に送信する機能を有している。また、放射線画像撮影装置１４は、撮影した放射線画像の画像データと、対応する画像ＩＤと、を関連付けてコンソール１８に送信する機能を有している。放射線画像撮影装置１４の具体例としては、電子カセッテが挙げられる。
【００４０】
携帯情報端末装置１６は、放射線画像撮影装置１４から画像ＩＤを受信する機能を有している。また、携帯情報端末装置１６は、被検体Ｗに関する撮影対象情報の一例として患者ＩＤを取得して、患者ＩＤと、被検体Ｗが撮影された放射線画像の画像データに対応する画像ＩＤと、を関連付けて記憶する機能を有している。また、携帯情報端末装置１６は、患者ＩＤと、画像ＩＤと、を関連付けて記憶した場合に、放射線画像撮影装置１４に対して、放射線画像の撮影を許可する機能を有している。さらに、携帯情報端末装置１６は、関連付けられた患者ＩＤ及び画像ＩＤをコンソール１８に送信する機能を有している。また、本実施の形態の携帯情報端末装置１６は、コンソール１８の機能の一部（例えば、放射線画像の撮影を制御する機能）を有していてもよい。なお、本実施の形態において携帯情報端末装置１６は、放射線画像撮影装置１４が放射線画像の撮影を行った場合に撮影された放射線画像の画像データをリアルタイムでは受信しないものである。携帯情報端末装置１６は、内蔵バッテリにより駆動可能なものであって、いわゆるＰＤＡであり、具体例としては、タブレット端末や、スマートフォンが挙げられる。
【００４１】
コンソール１８は、例えば、ＲＩＳ（Radiology Information System）等の外部のシステムから入力された指示（撮影メニュー）に基づいて、放射線画像撮影システム１０全体を制御し、また、放射線画像の撮影を制御する機能を有している。そのため、コンソール１８は、外部のシステムから、撮影メニューを含むオーダを受け付ける。なお、本実施の形態においてオーダは、放射線画像の撮影に関する様々な指示を含む情報であり、具体的には、患者ＩＤ及び撮影メニューを含んでいる。
【００４２】
なお、本実施の形態の放射線画像撮影システム１０では、病棟、病室、及び手術室等の所定の場所で放射線画像の撮影を行う場合は、放射線照射装置１２、放射線画像撮影装置１４、及び携帯情報端末装置１６を撮影場所に配置して、放射線画像の撮影を行う。一方、コンソール１８は、別の場所（例えば、放射線画像の撮影室や放射線科の診療室等）に配置した状態で撮影を行う。
【００４３】
次に、放射線画像撮影装置１４、携帯情報端末装置１６、及びコンソール１８の各機能について詳細に説明する。図２は、放射線画像撮影システム１０の放射線画像撮影装置１４、携帯情報端末装置１６、及びコンソール１８の一例の概略構成を示す機能ブロック図である。
【００４４】
本実施の形態の放射線画像撮影装置１４は、放射線検出器２０、制御部２２、記憶部２４、Ｉ／Ｏ（Input Output）部２６、及びＩ／Ｆ（Interface)部２８を備えている。放射線検出器２０、制御部２２、記憶部２４、及びＩ／Ｏ部２６は、システムバスやコントロールバス等のバス２９を介して相互に情報等の授受が可能に接続されている。
【００４５】
本実施の形態の放射線画像撮影装置１４は、被検体Ｗを透過した放射線Ｘに応じた放射線画像を撮影する機能を有していれば、特に限定されない。例えば、放射線画像撮影装置１４と非同期に、放射線Ｘの照射開始を自装置で検出して、放射線画像の撮影を行うものであってもよい。
【００４６】
放射線検出器２０は、制御部２２の制御により、被検体Ｗを透過した放射線Ｘを検出する機能を有している。本実施の形態の放射線検出器２０は、特に限定されない。例えば、放射線Ｘを光に変換し、変換した光を電荷に変換する間接変換方式の放射線検出器であってもよいし、放射線Ｘを直接電荷に変換する直接変換方式の放射線検出器であってもよい。
【００４７】
制御部２２は、第１制御部、第１生成部の一例であり、放射線画像撮影装置１４の動作を制御する機能を有している。また、制御部２２は、画像ＩＤを生成して、Ｉ／Ｏ部２６及びＩ／Ｆ部２８を介して送信する機能を有している。さらに、制御部２２は、放射線検出器２０により撮影された放射線画像の画像データと、画像ＩＤとを、関連付けて記憶部２４に記憶させる機能を有する。
【００４８】
制御部２２は、ＣＰＵ（Central Processing Unit）、ＲＯＭ（Read Only Memory）、ＲＡＭ（Random Access Memory）、及びＨＤＤ（Hard disk drive）を備えている。ＣＰＵは、放射線画像撮影装置１４全体の動作を制御する機能を有している。ＲＯＭには、ＣＰＵで使用される各種の処理プログラム等が予め記憶されている。ＲＡＭは、各種データを一時的に記憶する機能を有している。ＨＤＤは、各種データを記憶して保持する機能を有している。なお、ＨＤＤは、ＳＳＤ（Solid State Drive）であってもよく、また、記憶部２４と兼用してもよい。
【００４９】
記憶部２４は、第１記憶部の一例であり、制御部２２により、放射線画像の画像データと、画像ＩＤと、が関連付けて記憶される機能を有する。記憶部２４の具体例としては、ＳＳＤ（Solid State Drive）等が挙げられる。なお、記憶部２４は、放射線画像の撮影を行う場合に、放射線画像撮影装置１４と一体化されるものであればよく、例えば、ＵＳＢ（Universal Serial Bus）メモリ、ＳＤ（Secure Digital）メモリカード（登録商標）等、放射線画像撮影装置１４に着脱可能なものであってもよい。本実施の形態の記憶部２４は、複数の関連付けられた画像データ及び画像ＩＤを記憶する容量を有している。
【００５０】
Ｉ／Ｏ部２６及びＩ／Ｆ部２８は、第１送信部、及び第１受信部の一例であり、電波による無線通信や光による光通信等により、携帯情報端末装置１６やコンソール１８との間で各種情報の通信を行う機能を有している。なお、本実施の形態では、放射線画像を撮影する場合は、ユーザ等により特に、指示が無い場合は、無線により、携帯情報端末装置１６と通信を行う。なお、本実施の形態では、無線とは、Felica（登録商標）等のＮＦＣ（Near Field Communication：近距離無線通信）も含む。
【００５１】
本実施の形態の携帯情報端末装置１６は、制御部３０、記憶部３２、ディスプレイドライバ３４、ディスプレイ３６、操作入力検出部３８、操作部４０、Ｉ／Ｏ部４２、及びＩ／Ｆ部４４を備えている。制御部３０、記憶部３２、ディスプレイドライバ３４、操作入力検出部３８、及びＩ／Ｏ部４２は、システムバスやコントロールバス等のバス４７を介して相互に情報等の授受が可能に接続されている。
【００５２】
制御部３０は、第２生成部、第２制御部、取得部、第３制御部、及び第４制御部の一例であり、携帯情報端末装置１６全体の動作を制御する機能を有している。また、制御部３０は、ＲＩＳやコンソール１８等の外部装置から患者ＩＤを取得する場合は、Ｉ／Ｏ部４２及びＩ／Ｆ部４４を介して患者ＩＤを取得する機能を有している。また、制御部３０は、Ｉ／Ｏ部４２及びＩ／Ｆ部４４を介して、放射線画像撮影装置１４のＩ／Ｆ部２８から画像ＩＤを受信し、受信した画像ＩＤと、患者ＩＤと、を関連付けて記憶部３２に記憶する機能を有している。
【００５３】
制御部３０は、ＣＰＵ、ＲＯＭ、及びＲＡＭを備えている。ＣＰＵは、携帯情報端末装置１６全体の動作を制御する機能を有している。ＲＯＭには、ＣＰＵで使用される各種の処理プログラム等が予め記憶されている。ＲＡＭは、各種データを一時的に記憶する機能を有している。
【００５４】
ディスプレイドライバ３４は、ディスプレイ３６への各種情報の表示を制御する機能を有している。本実施の形態のディスプレイ３６は、第１表示部及び第２表示部の一例であり、放射線画像撮影装置１４に関する情報や画像ＩＤ等を表示する機能を有している。操作入力検出部３８は、操作部４０に対する操作状態や処理操作を検出する機能を有している。操作部４０は、操作部、及び指定部の一例であり、放射線画像の撮影に関する情報や患者ＩＤ等を、ユーザが入力するために用いられる。本実施の形態では操作部４０は、例えば、タッチパネル、タッチペン、複数のキー、及びマウス等を含んでいる。なお、操作部４０をタッチパネルとする場合は、ディスプレイ３６と同一としてもよい。
【００５５】
Ｉ／Ｏ部４２及びＩ／Ｆ部４４は、第２受信部、第２送信部、第３受信部、第１受付部、及び第２受付部の一例であり、電波による無線通信や光による光通信等により、放射線画像撮影装置１４やコンソール１８との間で各種情報の通信を行う機能を有している。なお、本実施の形態では、放射線画像を撮影する場合は、ユーザ等により特に、指示が無い場合は、無線により、放射線画像撮影装置１４と通信を行う。
【００５６】
記憶部３２は、第２記憶部、及び第３記憶部の一例であり、制御部３０により、患者ＩＤと、画像ＩＤと、が関連付けて記憶される機能を有する。記憶部３２の具体例としては、不揮発性のメモリ等が挙げられる。なお、本実施の形態の記憶部３２は、比較的、容量が小さなメモリを用いており、具体的には、放射線画像撮影装置１４の記憶部２４よりも、容量が小さいメモリを用いている。本実施の形態の携帯情報端末装置１６は、放射線画像の画像データを記憶しなくてよいため、記憶するデータ容量が放射線画像撮影装置１４の記憶部２４よりも小さいメモリであっても運用可能である。
【００５７】
本実施の形態のコンソール１８は、サーバー・コンピュータである。コンソール１８は、制御部５０、記憶部５２、ディスプレイドライバ５４、ディスプレイ５６、操作入力検出部５８、操作部６０、Ｉ／Ｏ部６２、及びＩ／Ｆ部６４を備えている。制御部５０、記憶部５２、ディスプレイドライバ５４、操作入力検出部５８、及びＩ／Ｏ部６２は、システムバスやコントロールバス等のバス６７を介して相互に情報等の授受が可能に接続されている。
【００５８】
制御部５０は、第３制御部の一例であり、コンソール１８全体の動作を制御する機能を有しており、ＣＰＵ、ＲＯＭ、ＲＡＭ、及びＨＤＤを備えている。ＣＰＵは、コンソール１８全体の動作を制御する機能を有している。ＲＯＭには、ＣＰＵで使用される各種の処理プログラム等が予め記憶されている。ＲＡＭは、各種データを一時的に記憶する機能を有している。ＨＤＤは、各種データを記憶して保持する機能を有している。
【００５９】
ディスプレイドライバ５４は、ディスプレイ５６への各種情報の表示を制御する機能を有している。本実施の形態のディスプレイ５６は、画像データに応じた放射線画像等を表示する機能を有している。操作入力検出部５８は、操作部６０に対する操作状態や処理操作を検出する機能を有している。操作部６０は、放射線画像の撮影に関する情報や患者ＩＤ等を、ユーザが入力するために用いられる。本実施の形態では操作部６０は、例えば、タッチパネル、タッチペン、複数のキー、及びマウス等を含んでいる。なお、操作部６０をタッチパネルとする場合は、ディスプレイ５６と同一としてもよい。
【００６０】
Ｉ／Ｏ部６２及びＩ／Ｆ部６４は、第３受信部の一例であり、電波による無線通信や光による光通信等により、放射線画像撮影装置１４や携帯情報端末装置１６との間で各種情報の通信を行う機能を有している。
【００６１】
記憶部５２は、第３記憶部の一例であり、制御部５０により、患者ＩＤと、画像ＩＤと、画像データと、が関連付けて記憶される機能を有する。記憶部５２の具体例としては、不揮発性のメモリ等が挙げられる。なお、本実施の形態の記憶部５２は、関連付けられた複数の画像データ、患者ＩＤ、及び画像ＩＤを記憶可能とするため、比較的、容量が大きなメモリを用いている。記憶部５２の容量は、具体的には、少なくとも、携帯情報端末装置１６の記憶部３２よりも大きく、放射線画像撮影装置１４の記憶部２４よりも大きいことがより好ましい。
【００６２】
次に、本実施の形態の放射線画像撮影システム１０による、放射線画像の撮影における放射線画像撮影システム１０の動作について説明する。上述したように、放射線画像撮影システム１０では、病棟等で撮影を行う場合には、コンソール１８を撮影場所に配置せずに撮影を行う。そのため、ここでは、放射線画像撮影装置１４及び携帯情報端末装置１６の動作について説明する。
【００６３】
放射線画像の撮影を行う場合、まず、撮影に用いる放射線画像撮影装置１４と携帯情報端末装置１６とが関連付けられた状態になる。なお、本実施の形態では、このように、撮影に用いられる放射線画像撮影装置１４と携帯情報端末装置１６とが関連付けられた状態を「有効」状態という。
【００６４】
携帯情報端末装置１６は、有効状態になると、図３に示した処理を実行する。図３には、本実施の形態の携帯情報端末装置１６の制御部３０によって実行される処理の一例の流れを表したフローチャートを示す。本実施の形態の携帯情報端末装置１６では、制御部３０がＲＯＭに記憶されている処理プログラムを実行することにより、本発明の各機能部として機能して図３に示した処理を実行する。
【００６５】
ステップＳ１００では、制御部３０が、患者ＩＤを含むオーダを受け付け、撮影メニューを選択する。オーダは、Ｉ／Ｏ部４２及びＩ／Ｆ部４４を介して、ＲＩＳから受け付けてもよいし、コンソール１８から受け付けてもよい。また、オーダは、ユーザが操作部４０により入力したものを、操作入力検出部３８を介して受け付けるようにしてもよい。
【００６６】
次のステップＳ１０２では、制御部３０が、画像ＩＤを受信したか否か判断する。放射線画像撮影装置１４から、画像ＩＤを受信するまでそのまま待機する。一方、Ｉ／Ｏ部４２及びＩ／Ｆ部４４を介して、画像ＩＤを受信した場合は、ステップＳ１０４へ進む。なお、画像ＩＤに加えて、放射線画像撮影装置１４を表す情報を受信するようにしてもよい。放射線画像撮影装置１４を表す情報としては、例えば、撮影装置ＩＤ等が挙げられる。以下では、放射線画像撮影装置１４を表す情報を、撮影装置ＩＤという。このように、携帯情報端末装置１６が、撮影装置ＩＤを受信して記憶部３２に記憶することにより、複数の放射線画像撮影装置１４の各々から画像ＩＤを受信する場合に、各放射線画像撮影装置１４を撮影装置ＩＤにより区別することが可能になる。
【００６７】
ステップＳ１０４では、制御部３０が、画像ＩＤと患者ＩＤとを、関連付けて記憶部３２に記憶させる。なお、上述のように、撮影装置ＩＤを受信している場合は、撮影装置ＩＤも関連付けて記憶部３２に記憶させる。また、予め撮影に用いた放射線画像撮影装置１４の撮影装置ＩＤがわかっている場合も、同様に、撮影装置ＩＤも関連付けて記憶部３２に記憶させるようにしてもよい。具体例として、図４に、撮影装置ＩＤ、患者ＩＤ、及び画像ＩＤが関連付けられて記憶部３２に記憶された状態を示す。
【００６８】
次のステップＳ１０６では、制御部３０が、画像ＩＤと患者ＩＤとを関連付けたことを表す情報として、関連付情報を生成して、Ｉ／Ｏ部４２及びＩ／Ｆ部４４を介して、放射線画像撮影装置１４へ送信する。なお、関連付情報は、画像ＩＤと患者ＩＤとを関連付けたことを表す情報であれば特に限定されないが、データ容量が少ない情報であることが好ましい。
【００６９】
なお、本実施の形態の携帯情報端末装置１６は、関連付情報を放射線画像撮影装置１４に送信することにより、放射線画像撮影装置１４に対して、放射線画像の撮影を実行する許可を与える。
【００７０】
次のステップＳ１０８では、制御部３０が、次の撮影が有るか否かを判断する。例えば、次の撮影に関する指示が有る場合等は、次の撮影が有ると判断して、ステップＳ１００に戻り、本処理を繰り返す。一方、次の撮影が無い場合は、本処理を終了する。
【００７１】
一方、放射線画像撮影装置１４は、有効状態になると、図５に示した処理を実行する。図５には、本実施の形態の放射線画像撮影装置１４の制御部２２によって実行される処理の一例の流れを表したフローチャートを示す。本実施の形態の放射線画像撮影装置１４では、制御部２２がＲＯＭに記憶されている処理プログラムを実行することにより、本発明の各機能部として機能して図５に示した処理を実行する。
【００７２】
ステップＳ２００では、制御部２２が、画像ＩＤを生成する。なお、画像ＩＤは、放射線画像を識別できる情報であれば特に限定されないが、データ容量が少ない情報であることが好ましい。
【００７３】
次のステップＳ２０２では、制御部２２が、Ｉ／Ｏ部２６及びＩ／Ｆ部２８を介して、画像ＩＤを携帯情報端末装置１６に送信する。
【００７４】
次のステップＳ２０４では、制御部２２が、携帯情報端末装置１６から、Ｉ／Ｏ部２６及びＩ／Ｆ部２８を介して、関連付情報を受信したか否かを判断する。上述した携帯情報端末装置１６の処理のステップＳ１０６で送信された関連付情報を受信するまで、そのまま待機し、受信した場合は、ステップＳ２０６へ進む。なお、画像ＩＤを携帯情報端末装置１６に送信した後、所定の時間を経過しても関連付情報を受信しなかった場合は、制御部２２は、何らかのエラーが生じているとみなし、所定のエラー処理として、例えば、ユーザに警告を行う等の処理を行うようにするとよい。
【００７５】
ステップＳ２０６では、関連付情報を受信したことにより、撮影許可が携帯情報端末装置１６から得られたため、撮影準備が完了したことになる。撮影準備が完了したため、制御部２２は、放射線検出器２０に放射線画像の撮影を許可して、放射線検出器２０をレディ状態にする。本実施の形態で「レディ状態」とは、放射線Ｘの検出を即座に行える状態のことをいう。なお、本実施の形態において、電源が投入された状態であり、「有効状態」及び「レディ状態」のいずれでもない状態を「アイドル状態」という。
【００７６】
次のステップＳ２０８では、制御部２２は、放射線検出器２０が放射線Ｘを検出したか否かを判断する。放射線Ｘを検出するまでレディ状態になり、放射線Ｘを検出した場合は、ステップＳ２１０へ進む。
【００７７】
ステップＳ２１０では、制御部２２が、放射線検出器２０から放射線画像（画像データ）を取得する。
【００７８】
次のステップＳ２１２では、制御部２２が、放射線画像の画像データと、ステップＳ２００で生成した画像ＩＤと、を関連付けて記憶部２４に記憶させる。具体例として、図６に、画像ＩＤ及び画像データが関連付けられて記憶部２４に記憶された状態を示す。
【００７９】
次のステップＳ２１４では、制御部２２が、次の撮影が有るか否かを判断する。例えば、次の撮影に関する指示が有る場合等は、次の撮影が有ると判断して、ステップＳ２００に戻り、本処理を繰り返す。一方、次の撮影が無い場合は、本処理を終了する。なお、本実施の形態の放射線画像撮影装置１４は、放射線画像の取得後は、本処理を終了しない場合は、レディ状態から有効状態に戻り、本処理を終了する場合は、レディ状態からアイドル状態に戻る。
【００８０】
このようにして、本実施の形態の携帯情報端末装置１６では、放射線画像の撮影前に、放射線画像撮影装置１４から画像ＩＤを受信し、患者ＩＤと、画像ＩＤと、が関連付けられて記憶部３２に記憶された状態になる。その後、放射線画像撮影装置１４が、携帯情報端末装置１６から送信された関連付情報を受信すると、放射線画像を撮影し、画像ＩＤと放射線画像の画像データとを関連付けて記憶する。
【００８１】
コンソール１８では、放射線画像撮影装置１４から画像ＩＤと画像データとを受信し、また、携帯情報端末装置１６から患者ＩＤと画像ＩＤとを受信することにより、患者ＩＤと、画像ＩＤと、画像データとを対応付けて記憶する。コンソール１８で実行される処理の一例について説明する。図７には、本実施の形態のコンソール１８の制御部５０によって実行される処理の一例の流れを表したフローチャートを示す。本実施の形態のコンソール１８では、制御部５０がＲＯＭに記憶されている処理プログラムを実行することにより、本発明の各機能部として機能して図７に示した処理を実行する。
【００８２】
図７に示した処理は、コンソール１８が、Ｉ／Ｏ部６２及びＩ／Ｆ部６４を介して放射線画像撮影装置１４または携帯情報端末装置１６から、情報を受信した場合に実行される。
【００８３】
ステップＳ３００では、制御部５０が、放射線画像撮影装置１４から情報を受信したか否かを判断する。放射線画像撮影装置１４から受信した場合は、ステップＳ３０２へ進む。放射線画像撮影装置１４から受信した情報は、関連付けられた画像ＩＤ及び画像データであるため、ステップＳ３０２では、制御部５０が、画像ＩＤと、画像データと、を受信した後、ステップＳ３０６へ進む。
【００８４】
一方、携帯情報端末装置１６から受信した場合は、ステップＳ３０４へ進む。携帯情報端末装置１６から受信した場合は、関連付けられた患者ＩＤ及び画像ＩＤであるため、ステップＳ３０４では、制御部５０が、患者ＩＤと、画像ＩＤと、を受信した後、ステップＳ３０６へ進む。
【００８５】
ステップＳ３０６では、制御部５０が、患者ＩＤと、画像ＩＤと、画像データと、を関連付けて記憶部５２に記憶させた後、本処理を終了する。
【００８６】
このように、本実施の形態の放射線画像撮影システム１０では、コンソール１８で、画像ＩＤに基づいて、患者ＩＤと、画像データとを適切に関連付けることができる。
【００８７】
［第２の実施の形態］
【００８８】
第１の実施の形態の放射線画像撮影システム１０では、放射線画像を撮影する前に、携帯情報端末装置１６が、画像ＩＤと、患者ＩＤとを関連付けていたが、本実施の形態の放射線画像撮影システム１０では、放射線画像撮影装置１４が、放射線画像の撮影後に、画像ＩＤと、患者ＩＤとを関連付ける。
【００８９】
本実施の形態の放射線画像撮影システム１０は、第１の実施の形態の放射線画像撮影システム１０と同様の構成及び動作を備えるため、同一部分については、詳細な説明を省略する。
【００９０】
放射線照射装置１２、放射線画像撮影装置１４、携帯情報端末装置１６、及びコンソール１８の構成は、第１の実施の形態と同一であるため、本実施の形態では説明を省略する。
【００９１】
本実施の形態の放射線画像撮影システム１０による、放射線画像の撮影における放射線画像撮影システム１０の動作について説明する。
【００９２】
本実施の形態においても、放射線画像の撮影を行う場合、まず、撮影に用いる放射線画像撮影装置１４と携帯情報端末装置１６とが有効状態になる。
【００９３】
携帯情報端末装置１６は、有効状態になると、図８に示した処理を実行する。図８には、本実施の形態の携帯情報端末装置１６の制御部３０によって実行される処理の一例の流れを表したフローチャートを示す。
【００９４】
ステップＳ４００では、制御部３０が、画像ＩＤを受信したか否か判断する。放射線画像撮影装置１４から、画像ＩＤを受信するまでそのまま待機する。一方、Ｉ／Ｏ部４２及びＩ／Ｆ部４４を介して、画像ＩＤを受信した場合は、ステップＳ４０２へ進む。なお、本実施の形態においては、すでに、放射線画像撮影装置１４では、放射線画像の撮影が実行され、画像データが取得された状態になっている。
【００９５】
ステップＳ４０２では、制御部３０が、患者ＩＤを有しているか否か判断する。例えば、外部装置やコンソール１８から患者ＩＤを受信していない場合は、患者ＩＤを有していないため、ステップＳ４０４へ進む。
【００９６】
ステップＳ４０４では、制御部３０が、ディスプレイドライバ３４により、ディスプレイ３６に、受信した画像ＩＤを表示させる。
【００９７】
次のステップＳ４０６では、制御部３０が、表示させた画像ＩＤに対応する患者ＩＤを要求する旨を、ディスプレイドライバ３４により、ディスプレイ３６に表示させる。患者ＩＤを要求する旨の表示により、ユーザは、操作部４０を用いて、患者ＩＤを入力する。
【００９８】
なお、ステップＳ４０２〜Ｓ４０６では、制御部３０が、患者ＩＤを有していない場合について説明したが、複数の患者ＩＤを有しており、この内から、撮影を行う被検体Ｗの患者ＩＤが指定されていない場合も、同様にすることができる。具体的には、ステップＳ４０２で制御部３０は、複数有している患者ＩＤのうち、指定されている患者ＩＤが有るか否かを判断する。指定されていない場合は、ステップＳ４０６で、患者ＩＤを指定させるように要求する旨を、ディスプレイ３６に表示させ、制御部４０により、ユーザに患者ＩＤを指定させるようにする。なお、患者ＩＤが指定されていない場合は、放射線画像撮影装置１４を、レディ状態にせず、さらに、放射線画像撮影装置１４の状態を表すディスプレイ３６における表示（詳細を後述する表示７２Ａ〜７２Ｃ参照）をレディ状態にせず、アイドル状態または有効状態にしておくことが好ましい。このように、患者ＩＤが指定されるまで、放射線画像撮影装置１４をレディ状態にしないことにより、誤った患者ＩＤと画像ＩＤとが対応付けられるのを抑制することができる。
【００９９】
次のステップＳ４０８では、制御部３０は、画像ＩＤを受信したか否かを判断する。受信していない場合は、そのまま待機し、受信した場合は、ステップＳ４１０へ進む。
【０１００】
一方、患者ＩＤを有している場合は、ステップＳ４０２から、ステップＳ４１０へ進む。
【０１０１】
ステップＳ４１０では、制御部３０が、画像ＩＤと、患者ＩＤと、を関連付けて記憶部３２に記憶させる。
【０１０２】
次のステップＳ４１２では、制御部３０が関連付情報を生成して、Ｉ／Ｏ部４２及びＩ／Ｆ部４４を介して放射線画像撮影装置１４へ送信する。本実施の形態の携帯情報端末装置１６では、このように、関連付情報を放射線画像撮影装置１４へ送信することにより、放射線画像撮影装置１４に対して、次回の放射線画像の撮影の許可を与える。
【０１０３】
次のステップＳ４１４では、制御部３０が、次の撮影が有るか否かを判断する。例えば、次の撮影に関する指示が有る場合等は、次の撮影が有ると判断して、ステップＳ４００に戻り、本処理を繰り返す。一方、次の撮影が無い場合は、本処理を終了する。
【０１０４】
一方、放射線画像撮影装置１４は、有効状態になると、図９に示した処理を実行する。図９には、本実施の形態の放射線画像撮影装置１４の制御部２２によって実行される処理の一例の流れを表したフローチャートを示す。
【０１０５】
ステップＳ５００では、制御部２２が、携帯情報端末装置１６から与えられた撮影許可が有るか否かを判断する。なお、携帯情報端末装置１６のディスプレイ３６に、放射線画像撮影装置１４に、撮影が許可されているか否かの情報を表示するようにすることが好ましい。なお、初めて、放射線画像撮影装置１４で放射線画像を撮影する場合等、前回の撮影に相当する撮影が行われていない場合は、撮影許可が有るとみなしてもよいし、本処理を省略してもよい。
【０１０６】
撮影許可が無い場合は、ステップＳ５０２へ進み、放射線検出器２０による撮影を禁止し、また、警告の表示を行った後、本処理を終了する。なお、警告の表示は、放射線画像撮影装置１４が、警告の旨を表示できる表示部（ディスプレイに限らず、ＬＥＤ（Light Emitting Diode）等でもよい）に表示するようにしてもよい。また、警告の表示は、Ｉ／Ｏ部２６及びＩ／Ｆ部２８を介して、携帯情報端末装置１６に送信し、携帯情報端末装置１６に表示を行うようにしてもよい。
【０１０７】
次のステップＳ５０４では、ユーザ操作によるトリガで撮影の準備を開始する。ユーザ操作は、直接、放射線画像撮影装置１４に行われてもよいし、携帯情報端末装置１６を介して行われてもよい。
【０１０８】
次のステップＳ５０６では、制御部２２は、撮影準備を完了して、放射線検出器２０をレディ状態にする。
【０１０９】
次のステップＳ５０８では、制御部２２は、放射線検出器２０が放射線Ｘを検出したか否かを判断する。放射線Ｘを検出するまでレディ状態のままとなり、放射線Ｘを検出した場合は、ステップＳ５１０へ進む。
【０１１０】
ステップＳ５１０では、制御部２２が、放射線検出器２０から放射線画像（画像データ）を取得する。
【０１１１】
次のステップＳ５１２では、制御部２２は、画像ＩＤを生成する。次のステップＳ５１４では、制御部２２が、放射線画像の画像データと、ステップＳ５１２で生成した画像ＩＤと、を関連付けて記憶部２４に記憶させる。
【０１１２】
次のステップＳ５１６では、制御部２２が、Ｉ／Ｏ部２６及びＩ／Ｆ部２８を介して、画像ＩＤを携帯情報端末装置１６に送信する。
【０１１３】
次のステップＳ５１８では、制御部２２が、関連付情報を受信したか否かを判断する。上述した携帯情報端末装置１６の処理のステップＳ４１２で送信された関連付情報を受信していない場合は、ステップＳ５２０へ進む。ステップＳ５２０では、制御部２２が、放射線検出器２０が放射線Ｘを誤検出したか否かを判断する。本実施の形態の放射線画像撮影装置１４（放射線検出器２０）では、放射線Ｘを誤検出する場合がある。例えば、実際には、放射線照射装置１２から放射線Ｘが照射されていないにも係らず、ノイズ等により放射線Ｘが照射されたと誤検出する場合がある。そのような場合は、誤検出であると判断して、ステップＳ５２２へ進み、ステップＳ５２２では、実際には、放射線画像を撮影していないため、生成した画像ＩＤを廃棄した後、ステップＳ５２４へ進む。この場合は、上述したステップＳ５１４で関連付けて記憶した画像データも廃棄する。なお、誤検出であるか否かの判断方法は特に限定されず、既存の手法を用いるようにすればよい。
【０１１４】
一方、ステップＳ５２０で、誤検出ではない場合は、ステップＳ５１６に戻り、再び、画像ＩＤを携帯情報端末装置１６に送信する。なお、所定の回数、画像ＩＤを送信（再送）しても、画像ＩＤを携帯情報端末装置１６に送信できない場合は、送信できなかったことを表す情報と、画像ＩＤと、画像データと、を関連付けて記憶部２４に記憶させるようにしてもよい。
【０１１５】
また、関連付情報を受信した場合は、ステップＳ５１８からステップＳ５２４へ進む。
【０１１６】
ステップＳ５２４では、制御部２２は、撮影許可が有ったことを記憶する。例えば、記憶部２４に記憶する。
【０１１７】
次のステップＳ５２６では、制御部２２が、次の撮影が有るか否かを判断する。例えば、次の撮影に関する指示が有る場合等は、次の撮影が有ると判断して、ステップＳ５００に戻り、本処理を繰り返す。一方、次の撮影が無い場合は、本処理を終了する。なお、本実施の形態の放射線画像撮影装置１４は、放射線画像の取得後は、本処理を終了しない場合は、レディ状態から、有効状態に戻り、本処理を終了する場合は、アイドル状態に戻る。
【０１１８】
本実施の形態のコンソール１８で、患者ＩＤと、画像ＩＤと、画像データと、を関連付けて記憶部５２に記憶させる処理は、第１の実施の形態と同様であるため、説明を省略する。
【０１１９】
このようにして、本実施の形態の放射線画像撮影装置１４では、放射線画像の撮影後に、画像ＩＤを生成して、画像ＩＤと放射線画像の画像データとを関連付けて記憶する。また、放射線画像撮影装置１４は、生成した画像ＩＤを携帯情報端末装置１６に送信する。携帯情報端末装置１６では、放射線画像の撮影後に、患者ＩＤと、画像ＩＤと、が関連付けられて記憶部３２に記憶された状態になる。
【０１２０】
従って、本実施の形態の放射線画像撮影システム１０では、コンソール１８で、画像ＩＤに基づいて、患者ＩＤと、画像データとを適切に関連付けることができる。
【０１２１】
［第３の実施の形態］
【０１２２】
上記各実施の形態の放射線画像撮影システム１０では、放射線画像撮影装置１４及び携帯情報端末装置１６をそれぞれ１つずつ、備えた場合について説明したが、本実施の形態の放射線画像撮影システム１０では、放射線画像撮影装置１４を複数備えた場合について説明する。
【０１２３】
本実施の形態の放射線画像撮影システム１０は、上記各実施の形態の放射線画像撮影システム１０と同様の構成及び動作を備えるため、同一部分については、詳細な説明を省略する。
【０１２４】
図１０は、本実施の形態の放射線画像撮影システムの一例の概略構成図である。
【０１２５】
本実施の形態の放射線画像撮影システム１０は、図１０に示すように複数の放射線画像撮影装置１４（１４Ａ、１４Ｂ、１４Ｃ）を備えている。以下では、放射線画像撮影装置１４Ａ、１４Ｂ、１４Ｃの個々を区別せずに総称する場合は、「放射線画像撮影装置１４」という。なお、本実施の形態では、具体的一例として、３つの放射線画像撮影装置１４を備えた場合について説明するが、放射線画像撮影装置１４を備える数は、特に限定されるものではない。
【０１２６】
放射線画像撮影装置１４Ａは、放射線検出器２０Ａを備えている。また、放射線画像撮影装置１４Ｂは、放射線検出器２０Ｂを備えている。また、放射線画像撮影装置１４Ｃは、放射線検出器２０Ｃを備えている。以下では、放射線検出器２０Ａ、２０Ｂ、２０Ｃの個々を区別せずに総称する場合は、「放射線検出器２０」という。
【０１２７】
本実施の形態では、放射線画像撮影装置１４Ａ、１４Ｂ、１４Ｃは、同種（同様の構成）のものを用いているが、放射線画像撮影装置１４の種類は、同種のものであってもよいし、異なる種類のものであってもよく、特に限定されるものではない。
【０１２８】
放射線照射装置１２、放射線画像撮影装置１４、携帯情報端末装置１６、及びコンソール１８の各機能に係わる構成は、上記各実施の形態と同一であるため、本実施の形態では説明を省略する。
【０１２９】
本実施の形態の携帯情報端末装置１６の動作について説明する。
【０１３０】
携帯情報端末装置１６は、図１１に示した処理を実行する。図１１には、本実施の形態の携帯情報端末装置１６の制御部３０によって実行される処理の一例の流れを表したフローチャートを示す。本実施の形態の携帯情報端末装置１６では、制御部３０がＲＯＭに記憶されている処理プログラムを実行することにより、本発明の各機能部として機能して図１１に示した処理を実行する。
【０１３１】
ステップＳ６００では、制御部３０が、放射線画像撮影装置１４の状態を表す情報を、ディスプレイドライバ３４によりディスプレイ３６に表示する。ここでは、電源が投入されている放射線画像撮影装置１４や、携帯情報端末装置１６に、予め登録されている放射線画像撮影装置１４の状態を表す情報を表示するようにすればよい。本実施の形態では、具体的には、携帯情報端末装置１６のアクセスポイントにアクセスしている放射線画像撮影装置１４の状態を表す情報を表示している。
【０１３２】
ディスプレイ３６に放射線画像撮影装置１４の状態が表示された具体例を図１２に示す。図１２（１）〜（３）は、ディスプレイ３６に、放射線画像撮影装置１４Ａの状態を表す表示７２Ａと、放射線画像撮影装置１４Ｂの状態を表す表示７２Ｂと、放射線画像撮影装置１４Ｃの状態を表す表示７２Ｃと、が表示された状態を表している。図１２（１）では、いずれの放射線画像撮影装置１４も、アイドル状態であることを表している。図１２（２）は、表示７２Ａにより、放射線画像撮影装置１４Ａが有効状態であることを表している。また、図１２（３）は、表示７２Ａにより、放射線画像撮影装置１４Ａがレディ状態であることを表している。なお、本実施の形態のディスプレイ３６は、操作部４０を兼ねたタッチパネルであり、表示７２Ａ〜７２Ｃに接触することにより、各放射線画像撮影装置１４の状態を指定（変更）することができる。
【０１３３】
次のステップＳ６０２では、制御部３０が、ディスプレイ３６（操作部４０）の表示７２Ａ〜７２Ｃにより、ユーザが指定した放射線画像撮影装置１４の指定を受け付ける。なお、ここでは、具体例としてユーザが複数の放射線画像撮影装置１４を指定したものとする。
【０１３４】
次のステップＳ６０４では、制御部３０が、受け付けた放射線画像撮影装置１４を有効にする。次のステップＳ６０６では、制御部３０が、患者ＩＤを含むオーダを受け付け、撮影メニューを選択する。なお、図示を省略したが、本実施の形態では、放射線画像撮影装置１４をレディ状態にするように、制御部３０が、放射線画像撮影装置１４に指示する。
【０１３５】
次のステップＳ６０８では、制御部３０が、画像ＩＤを受信したか否か判断する。放射線画像撮影装置１４から、画像ＩＤを受信するまでそのまま待機する。一方、Ｉ／Ｏ部４２及びＩ／Ｆ部４４を介して、画像ＩＤを受信した場合は、ステップＳ６１０へ進む。なお、画像ＩＤに加えて、撮影装置ＩＤを受信するようにしてもよい。特に、本実施の形態の放射線画像撮影システム１０は、放射線画像撮影装置１４を複数含むため、撮影装置ＩＤを放射線画像撮影装置１４から画像ＩＤと共に、送信することが好ましい。
【０１３６】
ステップＳ６１０では、制御部３０が、画像ＩＤと患者ＩＤとを、関連付けて記憶部３２に記憶させる。なお、上述のように、撮影装置ＩＤを受信している場合は、撮影装置ＩＤも関連付けて記憶部３２に記憶させる。また、予め撮影に用いた放射線画像撮影装置１４の撮影装置ＩＤがわかっている場合も、同様に、撮影装置ＩＤも関連付けて記憶部３２に記憶させるようにしてもよい。
【０１３７】
次のステップＳ６１２では、制御部３０が、関連付情報を生成して、Ｉ／Ｏ部４２及びＩ／Ｆ部４４を介して、放射線画像撮影装置１４へ送信する。
【０１３８】
次のステップＳ６１４では、制御部３０が、画像ＩＤを受信したか否か判断する。放射線画像撮影装置１４から、画像ＩＤを受信するまでそのまま待機する。本実施の形態では、後述するように、放射線画像撮影装置１４は、放射線画像の撮影後に、再度、画像ＩＤを送信するため、Ｉ／Ｏ部４２及びＩ／Ｆ部４４を介して、画像ＩＤを受信した場合は、ステップＳ６１６へ進む。
【０１３９】
ステップＳ６１６では、制御部３０が、ステップＳ６１４で受信した画像ＩＤが、記憶部３２に記憶している画像ＩＤと一致しているか否かを判断する。本実施の形態では、上述したように、ユーザは、本来、放射線画像を撮影する放射線画像撮影装置１４の他にも、複数の放射線画像撮影装置１４を指定する。指定されることにより、複数の放射線画像撮影装置１４が有効状態になり、さらにレディ状態になる。そのため、放射線画像を撮影に用いる放射線画像撮影装置１４と異なる放射線画像撮影装置１４を用いて、誤って、放射線画像の撮影が行われてしまう場合がある。そのような場合、制御部３０がステップＳ６０８で受信し、記憶部３２に記憶した画像ＩＤと、ステップＳ６１４で受信した画像ＩＤとが、異なる場合がある。
【０１４０】
ステップＳ６１６で、画像ＩＤが一致していない場合は、ステップＳ６１８へ進む。ステップＳ１８では、記憶部３２は、ディスプレイ３６等に、放射線画像撮影装置１４が誤っていた旨を表す警告表示を行う。次のステップＳ６２０では、記憶部３２は、記憶部３２に記憶している画像ＩＤを後から（上記ステップＳ６１４）で受信した画像ＩＤに変更した後、ステップＳ６２２に進む。このように、画像ＩＤを変更することにより、撮影に用いた放射線画像撮影装置１４は、予定していたものとは異なるが、撮影された放射線画像の画像データと、画像ＩＤと、患者ＩＤとを、コンソール１８で関連付けることができる。
【０１４１】
ユーザは、ステップＳ６１８の警告表示により、予定していたものと異なる放射線画像撮影装置１４で撮影を行ったことを認識することができる。この場合、予定した放射線画像撮影装置１４で撮影を行う必要がある場合は、撮影に用いた放射線画像撮影装置１４を、予定したものに変更した後、再び、撮影（本処理）を繰り返すようにすればよい。また、予定していたものと異なるが、今回の撮影に用いた放射線画像撮影装置１４でも、影響が無いようであれば、今回、撮影された放射線画像の画像データと、画像ＩＤと、患者ＩＤとを、コンソール１８で関連付けることができる状態にあるため、再撮影を行う必要がなくなる。
【０１４２】
なお、ステップＳ６１４で画像ＩＤに加えて、撮影装置ＩＤを受信し、ステップＳ６１６で、撮影装置ＩＤも一致するか否かを判断するようにしてもよい。このように撮影装置ＩＤも一致するか否かを判断することにより、予定していた放射線画像撮影装置１４が撮影に用いられたか否かをより適切に判断することができるようになるため、
【０１４３】
一方、ステップＳ６１６で画像ＩＤが一致している場合は、ステップＳ６２２へ進む。
【０１４４】
次のステップＳ６２２では、制御部３０が、次の撮影が有るか否かを判断する。例えば、次の撮影に関する指示が有る場合等は、次の撮影が有ると判断して、ステップＳ６００に戻り、本処理を繰り返す。一方、次の撮影が無い場合は、本処理を終了する。
【０１４５】
一方、放射線画像撮影装置１４は、図１３に示した処理を実行する。図１３には、本実施の形態の放射線画像撮影装置１４の制御部２２によって実行される処理の一例の流れを表したフローチャートを示す。本実施の形態の放射線画像撮影装置１４では、制御部２２がＲＯＭに記憶されている処理プログラムを実行することにより、本発明の各機能部として機能して図１３に示した処理を実行する。
【０１４６】
ステップＳ７００では、制御部２２が、放射線検出器２０を有効状態にする。
【０１４７】
次のステップＳ７０４では、制御部２２が、画像ＩＤを生成する。次のステップＳ７０６では、制御部２２が、Ｉ／Ｏ部２６及びＩ／Ｆ部２８を介して、画像ＩＤを携帯情報端末装置１６に送信する。
【０１４８】
次のステップＳ７０８では、制御部２２が、携帯情報端末装置１６から、Ｉ／Ｏ部２６及びＩ／Ｆ部２８を介して、関連付情報を受信したか否かを判断する。上述した携帯情報端末装置１６の処理のステップＳ６１２で送信された関連付情報を受信するまで、そのまま待機し、受信した場合は、ステップＳ７１０へ進む。ステップＳ７１０では、撮影準備が完了する。なお、画像ＩＤを携帯情報端末装置１６に送信した後、所定の時間を経過しても関連付情報を受信しなかった場合は、何らかのエラーが生じているとみなし、所定のエラー処理として、例えば、ユーザに警告を行う等の処理を行うようにするとよい。
【０１４９】
次のステップＳ７１２では、制御部２２は、放射線検出器２０が放射線Ｘを検出したか否かを判断する。放射線Ｘを検出していない場合は、ステップＳ７１４へ進み、所定時間が経過したか否か判断する。例えば、上述のように、ユーザが異なる放射線画像撮影装置１４で撮影を行った場合、予定していた放射線画像撮影装置１４には、放射線Ｘが照射されない。このような場合、予定した放射線画像撮影装置１４では、所定時間が経過しても、放射線Ｘを検出することがない。そのため、ステップＳ７１４で肯定されると、本処理を終了する。一方、所定時間が経過していない場合は、ステップＳ７１２へ戻り、本処理を繰り返す。
【０１５０】
一方、ステップＳ７１２で放射線Ｘを検出した場合は、ステップＳ７１６へ進む。ステップＳ７１６では、制御部２２が、放射線検出器２０から放射線画像（画像データ）を取得する。
【０１５１】
次のステップＳ７１８では、制御部２２が、放射線画像の画像データと、ステップＳ７０４で生成した画像ＩＤと、を関連付けて記憶部２４に記憶させる。
【０１５２】
次のステップＳ７２０では、上記ステップＳ７０６と同様に、画像ＩＤを携帯情報端末装置１６に送信する。
【０１５３】
次のステップＳ７２２では、制御部２２が、次の撮影が有るか否かを判断する。例えば、次の撮影に関する指示が有る場合等は、次の撮影が有ると判断して、ステップＳ７００に戻り、本処理を繰り返す。一方、次の撮影が無い場合は、本処理を終了する。なお、本実施の形態の放射線画像撮影装置１４は、ステップＳ７２２の後は、レディ状態からアイドル状態に戻る。
【０１５４】
本実施の形態のコンソール１８で、患者ＩＤと、画像ＩＤと、画像データと、を関連付けて記憶部５２に記憶させる処理は、上記各実施の形態と同様であるため、説明を省略する。
【０１５５】
このようにして、本実施の形態の放射線画像撮影システム１０では、複数の放射線画像撮影装置１４を有効状態にして、撮影を行う場合に、携帯情報端末装置１６では、放射線画像の撮影前に、放射線画像撮影装置１４から画像ＩＤを受信し、患者ＩＤと、画像ＩＤと、が関連付けられて記憶部３２に記憶された状態になる。その後、放射線画像撮影装置１４が、携帯情報端末装置１６から送信された関連付情報を受信すると、放射線画像を撮影し、画像ＩＤと放射線画像の画像データとを関連付けて記憶し、さらに、画像ＩＤを携帯情報端末装置１６に送信する。携帯情報端末装置１６では、再び受信した画像ＩＤが記憶部３２に記憶されているものと一致するか判断し、一致しない場合は、警告すると共に、記憶部３２に記憶されている画像ＩＤを再び受信した画像ＩＤに変更する。これにより、携帯情報端末装置１６では、患者ＩＤと画像ＩＤとが適切に関連付けられた状態になる。
【０１５６】
従って、本実施の形態の放射線画像撮影システム１０では、コンソール１８で、画像ＩＤに基づいて、患者ＩＤと、画像データとを適切に関連付けることができる。
【０１５７】
［第４の実施の形態］
【０１５８】
上記第３の実施の形態の放射線画像撮影システム１０では、複数の放射線画像撮影装置１４が同時に有効状態になり、複数の放射線画像撮影装置１４が撮影可能になる場合について説明したが、本実施の形態の放射線画像撮影システム１０では、１つの放射線画像撮影装置１４が有効状態になり、撮影可能になる場合について説明する。
【０１５９】
本実施の形態の放射線画像撮影システム１０は、上記各の実施の形態の放射線画像撮影システム１０と同様の構成及び動作を備えるため、同一部分については、詳細な説明を省略する。
【０１６０】
放射線画像撮影システム１０の構成は、放射線画像撮影装置１４が、撮影を行わない場合でも、放射線Ｘが照射されたか否かについて検知する機能を有している点以外は、上記第３の実施の形態の放射線画像撮影システム１０と同様であるため、説明を省略する。なお、放射線Ｘが照射されたか否かについて検知する機能は特に限定されず、既存のセンサを用いてもよい。
【０１６１】
本実施の形態の携帯情報端末装置１６の動作について説明する。
【０１６２】
携帯情報端末装置１６は、図１４に示した処理を実行する。図１４には、本実施の形態の携帯情報端末装置１６の制御部３０によって実行される処理の一例の流れを表したフローチャートを示す。本実施の形態の携帯情報端末装置１６では、制御部３０がＲＯＭに記憶されている処理プログラムを実行することにより、本発明の各機能部として機能して図１４に示した処理を実行する。
【０１６３】
本実施の形態の携帯情報端末装置１６の制御部３０によって実行される処理のステップＳ８００〜Ｓ８１２は、第３の実施の形態の携帯情報端末装置１６の制御部３０によって実行される処理のステップＳ６００〜Ｓ６１２と同様である（図１１参照）。
【０１６４】
ステップＳ８００では、制御部３０が、放射線画像撮影装置１４の状態を表す情報を、ディスプレイ３６に表示する。次のステップＳ８０２では、制御部３０が、ユーザが指定した放射線画像撮影装置１４の指定を受け付ける。なお、本実施の形態では、指定を受け付ける場合、１つの放射線画像撮影装置１４しか受け付けない点で、第３の実施の形態のステップＳ６０２と異なっている。
【０１６５】
次のステップＳ８０４では、制御部３０が、受け付けた放射線画像撮影装置１４を有効にする。次のステップＳ８０６では、制御部３０が、患者ＩＤを含むオーダを受け付け、撮影メニューを選択する。次のステップＳ８０８では、制御部３０が、画像ＩＤを受信したか否か判断し、画像ＩＤを受信した場合は、ステップＳ８１０へ進む。ステップＳ８１０では、制御部３０が、画像ＩＤと患者ＩＤとを、関連付けて記憶部３２に記憶させる。次のステップＳ８１２では、制御部３０が、関連付情報を生成して、放射線画像撮影装置１４へ送信する。
【０１６６】
次のステップＳ８１４では、警告を受信したか否かを判断する。本実施の形態では、第３の実施の形態と異なり、１つの放射線画像撮影装置１４しか有効にならず、レディ状態にもならないため、撮影が可能な放射線画像撮影装置１４は１つになる。しかしながら、撮影が可能な（予定していた）放射線画像撮影装置１４と異なる放射線画像撮影装置１４でユーザが撮影を行った場合、その放射線画像撮影装置１４では、撮影が行われず、放射線画像が取得できない。この場合、本実施の形態では、予定していなかった（撮影が不可能な）放射線画像撮影装置１４では、放射線Ｘを検知すると、携帯情報端末装置１６に対して警告を送信する。ステップＳ８１４では、この警告を受信したか否かを判断する。
【０１６７】
警告を受信した場合は、予定していた放射線画像撮影装置１４で撮影が行われず、放射線画像が全く撮影されなかったため、ステップＳ８１６へ進み、記憶部３２に記憶している画像ＩＤ（及び患者ＩＤ）を廃棄する。また、次のステップＳ８１８は、ディスプレイ３６に警告を表示した後、ステップＳ８２０へ進む。警告を行うことにより、ユーザは撮影が適切に行われなかった（放射線画像が取得できていない）ことを認識できるため、再撮影を行う等の処置を行うことができるようになる。
【０１６８】
一方、警告を受信していない場合は、適切に放射線画像が撮影されたため、そのまま、ステップＳ８２０へ進む。
【０１６９】
次のステップＳ８２０では、制御部３０が、次の撮影が有るか否かを判断する。例えば、次の撮影に関する指示が有る場合等は、次の撮影が有ると判断して、ステップＳ８００に戻り、本処理を繰り返す。一方、次の撮影が無い場合は、本処理を終了する。
【０１７０】
一方、放射線画像撮影装置１５は、図１５に示した処理を実行する。図１５には、本実施の形態の放射線画像撮影装置１４の制御部２２によって実行される処理の一例の流れを表したフローチャートを示す。本実施の形態の放射線画像撮影装置１４では、制御部２２がＲＯＭに記憶されている処理プログラムを実行することにより、本発明の各機能部として機能して図１５に示した処理を実行する。
【０１７１】
なお、本実施の形態の放射線画像撮影装置１４の制御部２２によって実行される処理は、放射線Ｘを検出したか否かの判断後の処理が異なる他は、第１の実施の形態の放射線画像撮影装置１４の制御部２２によって実行される処理（図５参照）と、同様であるため、異なる処理のみ説明する。
【０１７２】
具体的には、図１５に示したように、本実施の形態では、ステップＳ２０８で、制御部２２が、放射線検出器２０が放射線Ｘを検出したか否かを判断し、放射線Ｘを検出していない場合は、ステップＳ２０９へ進み、所定時間が経過したか否か判断する。本処理は、第３の実施の形態のステップＳ７１４（図１３参照）と同様の処理である。本実施の形態においても、上述したように、予定していた以外の放射線画像撮影装置１４で撮影が行われた場合、放射線Ｘが照射されない場合があるため、所定時間が経過した場合は、ステップＳ２０９で肯定され、本処理を終了する。一方、所定時間が経過していない場合は、ステップＳ２０８２へ戻り、本処理を繰り返す。一方、ステップＳ２０８で放射線Ｘを検出した場合は、ステップＳ２１０へ進む。
【０１７３】
このようにして、本実施の形態の放射線画像撮影システム１０では、複数の放射線画像撮影装置１４を有効状態にして、撮影を行う場合に、１つの放射線画像撮影装置１４か有効状態にならず、撮影可能にならない。これにより、撮影可能な放射線画像撮影装置１４と携帯情報端末装置１６とが１対１で対応付けられる。
【０１７４】
携帯情報端末装置１６では、放射線画像の撮影前に、放射線画像撮影装置１４から画像ＩＤを受信し、患者ＩＤと、画像ＩＤと、が関連付けられて記憶部３２に記憶された状態になる。その後、放射線画像撮影装置１４が、携帯情報端末装置１６から送信された関連付情報を受信すると、放射線画像を撮影し、画像ＩＤと放射線画像の画像データとを関連付けて記憶する。携帯情報端末装置１６では、放射線画像撮影装置１４から警告を受信した場合は、画像ＩＤを廃棄すると共に、警告の表示を行う。警告に応じて、ユーザが再撮影を行うことにより、適切に放射線画像を取得することができる。
【０１７５】
従って、上記各実施の形態の放射線画像撮影システム１０では、コンソール１８で、画像ＩＤに基づいて、患者ＩＤと、画像データとを適切に関連付けることができる。
【０１７６】
［第５の実施の形態］
【０１７７】
本実施の形態の放射線画像撮影システム１０では、放射線画像撮影装置１４が、放射線画像の撮影後に、画像ＩＤと、ユーザが撮影された放射線画像を確認するためのプレビュー画像を生成して、携帯情報端末装置１６に送信する場合について説明する。
【０１７８】
図１６には、本実施の形態の放射線画像撮影システム１０における画像ＩＤと患者ＩＤとの関連付けの概念を説明するための説明図が示されている。
【０１７９】
図１６に示すように、本実施の形態の放射線画像撮影システム１０では、放射線画像の撮影後に、放射線画像撮影装置１４が画像ＩＤを生成する。また、放射線画像撮影装置１４は、放射線画像の画像データ（生データ）に基づいて、プレビュー画像を生成する。
【０１８０】
プレビュー画像とは、被検体Ｗに関する放射線画像の撮影が適切に行われたか否か、少なくとも再撮影の必要があるか否かをユーザが判断するための画像であり、読影用の放射線画像よりも低画質の画像である。本実施の形態の制御部２２は、放射線画像の生データにプレビュー画像を生成するための画像処理を行い、プレビュー画像を生成する。ここで、本実施の形態の制御部２２は、読影用の放射線画像を生成する場合に行われる複数の画像処理のうち、比較的時間を要さないものをプレビュー画像を生成するための画像処理として用いている。具体例として制御部２２は、読影用の放射線画像を生成する場合は、放射線画像の生データに対してオフセット補正、ゲイン補正、及び欠陥画素の補正を行い、プレビュー画像を生成する場合は、放射線画像の生データに対してオフセット補正及びゲイン補正を行うが、欠陥画素の補正は行わない。
【０１８１】
また、本実施の形態の放射線画像撮影装置１４では、プレビュー画像を生成するための画像処理として、放射線画像の生データを間引く画像処理も行っている。これにより、プレビュー画像の画像データは、生データよりもデータ量が小さくなる。なお、どの程度間引くかについては、携帯情報端末装置１６のディスプレイ３６の解像度、画像データの送信速度、及びユーザが所望するプレビュー画像の画質等に応じて予め定めておいてもよいし、ユーザが携帯情報端末装置１６から指示してもよい。
【０１８２】
放射線画像撮影装置１４は、生成した画像ＩＤ及びプレビュー画像を、関連付けて記憶部２４に記憶し、また、携帯情報端末装置１６に送信する。
【０１８３】
一方、図１６に示すように、本実施の形態の携帯情報端末装置１６は、患者ＩＤを受け付け、また、放射線画像撮影装置１４から画像ＩＤ及びプレビュー画像を受信する。放射線画像撮影装置１４は、画像ＩＤと患者ＩＤとを関連付けて、記憶部３２に記憶する。
【０１８４】
まず、本実施の形態の放射線画像撮影システム１０の構成について説明する。
【０１８５】
図１７には、本実施の形態の放射線画像撮影システム１０の放射線画像撮影装置１４、携帯情報端末装置１６、及びコンソール１８の一例の概略構成を示す機能ブロック図を示す。
【０１８６】
図１７に示すように、本実施の形態の放射線画像撮影システム１０は、携帯情報端末装置１６が読取部３３を備えている点で、上記各の実施の形態の放射線画像撮影システム１０（図２参照）と異なっている。本実施の形態の読取部３３は、文字や画像等を読み取る機能を有している。具体的には、読取部３３はカメラ機能を有しており、バーコードリーダとして機能する。
【０１８７】
なお、本実施の形態では、放射線画像撮影装置１４の制御部２２が第３生成部の一例として機能し、Ｉ／Ｏ部２６及びＩ／Ｆ部２８が第３送信部の一例として機能する。また、携帯情報端末装置１６のＩ／Ｏ部４２及びＩ／Ｆ部４４が第４受信の一例として機能し、ディスプレイ３６が第３表示部の一例として機能する。
【０１８８】
次に、本実施の形態の携帯情報端末装置１６の動作の詳細について説明する。
【０１８９】
携帯情報端末装置１６は、図１８に示した処理を実行する。図１８には、本実施の形態の携帯情報端末装置１６の制御部３０によって実行される処理の一例の流れを表したフローチャートを示す。本実施の形態の携帯情報端末装置１６では、制御部３０がＲＯＭに記憶されている処理プログラムを実行することにより、本発明の各機能部として機能して図１８に示した処理を実行する。
【０１９０】
図１８のステップＳ９００で制御部３０は、患者ＩＤを含むオーダを受け付ける。
【０１９１】
ステップＳ９０２で制御部３０は、ディスプレイ３６に撮影リストを表示させる。本実施の形態において「撮影リスト」とは、受け付けたオーダの目録のことをいう。上記ステップＳ９００で複数のオーダを受け付けた場合は、撮影リストには、複数のオーダが含まれるため、複数のオーダが表示される。
【０１９２】
図１９には、携帯情報端末装置１６のディスプレイ３６に撮影リストが表示された状態の具体例を示す概略図が示されている。図１９に示した具体例では、撮影リストとして、複数のオーダが表示されており、それぞれ、チェックボックス８０、患者ＩＤ、及びオーダが表示される。チェックボックス８０は、撮影済みであるか否かを表すものであり、チェックボックス８０にチェックが有る場合は、撮影済みであることを表す。
【０１９３】
撮影リストがディスプレイ３６に表示されることにより、ユーザは、これから行う撮影について確認することができる。
【０１９４】
次のステップＳ９０４で制御部３０は、被検体Ｗの照合を行う。ここで制御部３０は、例えば、患者ＩＤとして、被検体Ｗの名札やカルテ等に記載された患者名、バーコード、及びＱＲコード（登録商標）等の二次元コード等を読取部３３で読み取り、読み取ったデータと、撮影リストの情報とを照合することにより被検体Ｗの照合を行う。また例えば、撮影リストの情報に、被検体Ｗの顔を含む写真画像が含まれる場合は、制御部３０は、読取部３３により被検体Ｗの顔を写真撮影し、撮影した顔の画像を用いて顔認証等を行うことにより、被検体Ｗの照合を行ってもよい。このように被検体Ｗの照合方法は特に限定されず、これから撮影を行おうとしている被検体Ｗと撮影リストの情報とを照合できる方法であればよく、その他、指紋認証等を利用してもよい。
【０１９５】
次のステップＳ９０６で制御部３０は、ステップＳ９０４の処理による照合の結果、被検体Ｗが撮影リストのオーダに含まれる被検体Ｗと一致したか否かを判断する。このように、本実施の形態の携帯情報端末装置１６では、被検体Ｗの照合を行うことにより、撮影を行う予定ではない被検体Ｗの放射線画像を撮影してしまうのを抑制することができる。
【０１９６】
被検体Ｗと撮影リストの情報とが一致しない場合は、ステップＳ９０８へ移行し、制御部３０は、ディスプレイ３６に、一致しない旨の情報を表示する。ディスプレイ３６に表示された被検体Ｗと撮影リストの情報とが一致しない旨の情報に応じて、ユーザは、被検体Ｗが撮影リストにないことを確認する。そしてユーザは、撮影リストにある、放射線画像の撮影を予定している被検体Ｗに変更して、変更後の被検体Ｗの照合を携帯情報端末装置１６に行わせる。そのため、一致しない場合は、ステップＳ９０４に戻り、制御部３０は、再び被検体Ｗの照合を行う。
【０１９７】
一方、被検体Ｗと撮影リストの情報とが一致した場合は、ステップＳ９１０へ移行する。ステップＳ９１０で制御部３０は、照合終了情報を放射線画像撮影装置１４に送信する。本実施の形態において、照合終了情報は、被検体Ｗの照合が終了したことを示すと共に、放射線画像撮影装置１４に放射線画像の撮影を指示するための情報を含む。そのため、放射線画像撮影装置１４は、携帯情報端末装置１６から照合終了情報を受信した場合に、放射線画像の撮影を開始すると判断する（図２２、ステップＳ１０００参照）。
【０１９８】
放射線画像撮影装置１４では、放射線画像の撮影が行われ、撮影によって得られた放射線画像に基づいて生成されたプレビュー画像を示す画像データが携帯情報端末装置１６に送信される（図２２、ステップＳ１０１４参照）。
【０１９９】
そこで、次のステップＳ９１２で制御部３０は、画像ＩＤ及びプレビュー画像の画像データを受信したか否かを判断する。具体的には、制御部３０は、画像ＩＤ、及びこの画像ＩＤが付与されている放射線画像のプレビュー画像の画像データを受信したか否かを判断する。受信するまで待機し、受信するとステップＳ９１４へ移行する。
【０２００】
ステップＳ９１４で制御部３０は、ディスプレイ３６に受信したプレビュー画像を表示させる。図２０には、携帯情報端末装置１６のディスプレイ３６にプレビュー画像８２が表示された状態の具体例を示す概略図が示されている。
【０２０１】
ユーザは、プレビュー画像８２を確認し、再撮影を行うか否かを判断する。ユーザは、表示されたプレビュー画像８２に目的とする部位が含まれていなかったり、画像にぼけやブレ等が生じていたりして、撮影によって得られた放射線画像が適切ではない場合は再撮影を指示する。また、本実施の形態の放射線画像撮影装置１４は、放射線照射装置１２と非同期に、放射線Ｘの照射開始を自装置で検出して放射線画像を撮影する。このため、放射線画像撮影装置１４に対する衝撃等のノイズにより、放射線Ｘの照射開始を誤検出して放射線画像を撮影し、プレビュー画像を携帯情報端末装置１６に送信してしまう場合がある。このような場合もユーザは、再撮影を指示する。
【０２０２】
具体的に本実施形態の携帯情報端末装置１６では、ユーザが再撮影を指示する場合は、ディスプレイ３６に表示されたチェックボックス８４にチェックを入れる操作を行った後、終了ボタン８５を操作する。
【０２０３】
一方、再撮影を行わず、撮影を完了する場合にユーザは、ディスプレイ３６に表示されたチェックボックス８３にチェックを入れる操作を行った後、終了ボタン８５を操作する。
【０２０４】
制御部３０は、これらの操作を、操作入力検出部３８により検出する。そして、制御部３０は、ユーザによって再撮影を行う指示操作が行われたことを検出した場合は、ステップＳ９１８に移行し、制御部３０は、再撮影指示情報を放射線画像撮影装置１４に送信した後、ステップＳ９１２６に戻る。
【０２０５】
一方、制御部３０は、ユーザによって撮影を完了する指示操作が行われたことを検出した場合は、ステップＳ９２０へ移行し、ステップＳ９２０で制御部３０は、撮影完了指示情報を放射線画像撮影装置１４に送信した後、ステップＳ９２２へ移行する。
【０２０６】
ステップＳ９２２で制御部３０は、患者ＩＤと、ステップＳ９１２で肯定判定となった場合に受信した画像ＩＤとを関連付けて記憶部３２に記憶させる。
【０２０７】
次のステップＳ９２４で制御部３０は、上記第２の実施の形態の携帯情報端末装置１６の制御部３０によって実行される処理のステップＳ４１２（図８参照）と同様に、関連付情報を生成して、放射線画像撮影装置１４へ送信する。
【０２０８】
次のステップＳ９２６で制御部３０は、ディスプレイ３６に、撮影リストを再び表示させる。ここで、制御部３０は、撮影が完了したオーダに対応するチェックボックス８０にはチェックが入った状態の表示を行う。図２１には、携帯情報端末装置１６のディスプレイ３６に撮影済みのオーダを含む撮影リストが表示された状態の具体例を示す概略図が示されている。図２１に示した具体例では、一番上に表示された、「患者ＩＤ：富士Ａ子、撮影部位：胸部、・・・」に対応するチェックボックス８０にチェックが入っており、この情報に対応する撮影が完了していることを表している。ユーザは、チェックボックス８０にチェックが入っているか否かにより、まだ放射線画像の撮影が終了していないオーダが有るか否かを確認することができる。
【０２０９】
なお、放射線画像の撮影は、撮影リストの記載順に行われるとは限らない。上記ステップＳ９０４〜Ｓ９１０の処理により照合が完了したものから順に撮影が行われる。
【０２１０】
次のステップＳ９２８で制御部３０は、次の撮影が有るか否かを判断する。具体的には、制御部３０は、撮影リストに含まれる全てのオーダに対応する撮影が終了したか否かを判断する。終了していないと判断した場合は、ステップＳ９０４に戻り、本処理を繰り返す。一方、次の撮影が無い場合は、本処理を終了する。
【０２１１】
一方、本実施の形態における放射線画像撮影装置１４は、図２２に示した処理を実行する。図２２には、本実施の形態の制御部２２で実行される処理の流れの一例を表したフローチャートを示す。本実施の形態の放射線画像撮影装置１４では、制御部２２がＲＯＭに記憶されている処理プログラムを実行することにより、本発明の各機能部として機能して図２２に示した処理を実行する。
【０２１２】
図２２のステップＳ１０００で制御部２２は、放射線画像の撮影を開始するか否か判断する。具体的には、携帯情報端末装置１６から照合終了情報（図１８、ステップＳ９１０参照）を受信した場合に、制御部２２は、放射線画像の撮影を開始すると判断する。
【０２１３】
照合終了情報を受信していない場合は、そのまま待機し、照合終了情報を受信した場合は、ステップＳ１００２へ移行する。
【０２１４】
ステップＳ１００２で制御部２２は、放射線検出器２０を放射線Ｘの検出が即座に行える状態であるレディ状態に移行させる制御を行う。レディ状態では、例えば、放射線検出器２０は放射線Ｘの照射開始を検出するための動作等を行っているため、待機状態（詳細後述、ステップＳ１０２０参照）に比べて電力の消費量が多くなる。
【０２１５】
次のステップＳ１００４では、制御部２２は、放射線検出器２０が放射線Ｘを検出したか否かを判断する。放射線Ｘを検出するまでレディ状態のままとなり、放射線Ｘを検出した場合は、ステップＳ１００６へ進む。
【０２１６】
ステップＳ１００６では、制御部２２が、放射線検出器２０から放射線画像（画像データ）を取得する。
【０２１７】
次のステップＳ１００８では、制御部２２は、画像ＩＤを生成する。次のステップＳ１０１０では、制御部２２が、放射線画像の画像データと、ステップＳ１００８で生成した画像ＩＤと、を関連付けて記憶部２４に記憶させる。
【０２１８】
次のステップＳ１０１２で制御部２２は、記憶部２４に記憶した画像データ（生データ）に基づいて、上述したようにプレビュー画像を生成する。
【０２１９】
次のステップＳ１０１４で制御部２２は、生成したプレビュー画像の画像データ、及びこのプレビュー画像に対応する放射線画像の画像ＩＤを携帯情報端末装置１６に送信する。携帯情報端末装置１６では、受信した画像データに基づいて、ディスプレイ３６にプレビュー画像が表示される（図１８、ステップＳ９１４参照）。
【０２２０】
上述したように、携帯情報端末装置１６のディスプレイ３６に表示されたプレビュー画像８２（図２０参照）を確認したユーザは、再撮影または、撮影の完了を指示する。
【０２２１】
次のステップＳ１０１６で制御部２２は、再撮影指示情報を携帯情報端末装置１６から受信したか否かを判断することにより、再撮影を行うか否かを判断する。ここで肯定判定となった場合は、ステップＳ１００２に戻り、再び被検体Ｗの放射線画像の撮影を繰り返す。なお、再撮影を行う場合は、ユーザがプレビュー画像を確認した結果、再撮影を指示した放射線画像の画像データに、再撮影を行った旨を表す情報を関連付けて記憶部２４に記憶しておくことが好ましい。
【０２２２】
一方、ステップＳ１０１６で否定判定となった場合、制御部２２は、撮影完了指示情報を携帯情報端末装置１６から受信したとみなして、ステップＳ１０１８へ移行する。
【０２２３】
なお、同一の被検体Ｗについて複数枚の放射線画像を撮影する等、１つのオーダに複数枚の放射線画像の撮影が指示されている場合は、ステップＳ１００２〜Ｓ１１０１６の処理を繰り返して行う。
【０２２４】
放射線画像の撮影の完了後、携帯情報端末装置は患者ＩＤと画像ＩＤとを関連付けて記憶部３２に記憶すると、関連付情報を放射線画像撮影装置１４に送信（図１８、ステップＳ９２４参照）する。
【０２２５】
ステップＳ１０１８で制御部２２は、関連付情報を受信したか否かを判断する。未だ受信していない場合は、そのまま待機し、受信した場合は、ステップＳ１０１８へ移行する。
【０２２６】
次のステップＳ１０１８で制御部２２は、次の撮影が有るか否かを判断する。制御部３０は、次の撮影が有る場合は、ステップＳ１０２０へ移行して、放射線検出器２０を待機状態にさせる制御を行う。なお、本実施の形態で「待機状態」とは、放射線画像撮影装置１４の電源スイッチがオンになっており、放射線画像の撮影が指示されるのを待機している状態をいう。一方、次の撮影が無い場合は、本処理を終了する。
【０２２７】
［第６の実施の形態］
【０２２８】
上記第５の実施の形態の放射線画像撮影システム１０では、放射線画像撮影装置１４が、撮影した全ての放射線画像のプレビュー画像を生成して携帯情報端末装置１６に送信し、携帯情報端末装置１６ディスプレイ３６に表示した。これに対して、本実施の形態の放射線画像撮影システム１０では、放射線画像撮影装置１４が、放射線Ｘを誤検出したと判断した場合に、その誤検出により得られた放射線画像のプレビュー画像を生成して携帯情報端末装置１６に送信し、携帯情報端末装置１６ディスプレイ３６に表示する場合について説明する。
【０２２９】
本実施の形態の放射線画像撮影システム１０は、上記第５の実施の形態の放射線画像撮影システム１０と同様の構成及び動作を備えるため、同一部分については、詳細な説明を省略する。なお、本実施の形態では、放射線画像撮影装置１４の制御部２２が判断部の一例として機能する。
【０２３０】
まず、本実施の形態の携帯情報端末装置１６の動作の詳細について説明する。
【０２３１】
携帯情報端末装置１６は、図２３に示した処理を実行する。図２３には、本実施の形態の携帯情報端末装置１６の制御部３０によって実行される処理の一例の流れを表したフローチャートを示す。本実施の形態の携帯情報端末装置１６では、制御部３０がＲＯＭに記憶されている処理プログラムを実行することにより、本発明の各機能部として機能して図２３に示した処理を実行する。
【０２３２】
図２３に示すように、本実施の形態の携帯情報端末装置１６の制御部３０によって実行される処理は、第５の実施の形態の携帯情報端末装置１６の制御部３０によって実行される処理（図１８参照）において、ステップＳ９１２で否定判定された後の処理が異なっている他は同様であるため、異なる処理のみ説明する。
【０２３３】
図２３に示すように、本実施の形態の携帯情報端末装置１６では、ステップＳ９１２で、プレビュー画像の画像データ及び画像ＩＤを受信していない場合は、肯定判定となり、ステップＳ９１３へ移行する。
【０２３４】
上述のように、本実施の形態の放射線画像撮影装置１４では、放射線Ｘを誤検出したと判断した場合に、その誤検出により得られた放射線画像のプレビュー画像を生成して携帯情報端末装置１６に送信する。また、放射線画像撮影装置１４は、放射線Ｘを誤検出していないと判断した場合は、プレビュー画像を生成しない。そのため、放射線画像撮影装置１４が、放射線Ｘを誤検出していないと判断した場合、すなわち、正規の放射線画像の撮影が行われた場合は、携帯情報端末装置１６は、放射線画像撮影装置１４からプレビュー画像の画像データを受信せず、画像ＩＤのみを受信する。
【０２３５】
そのため、ステップＳ９１３で制御部５０は、画像ＩＤを放射線画像撮影装置１４から受信したか否かを判断する。まだ、画像ＩＤを受信していない場合は、ステップＳ９１２に戻る。
【０２３６】
一方、画像ＩＤを受信した場合は、ステップＳ９２２へ移行する。
【０２３７】
なお、本実施の形態の携帯情報端末装置１６では、ステップＳ９１２で肯定判定となった後のステップＳ９１４で表示されるプレビュー画像は、放射線Ｘを誤検出したことにより得られた放射線画像のプレビュー画像である。
【０２３８】
図２４には、この場合の携帯情報端末装置１６のディスプレイ３６にプレビュー画像８２が表示された状態の具体例を示す概略図が示されている。放射線画像の撮影に必要な放射線Ｘが照射されていないにもかかわらず、放射線画像撮影装置１４が放射線Ｘを誤検出して、撮影を行った場合、撮影により得られた放射線画像は、白画像（一面白色の画像）となることが、多い。図２４には、具体例として、プレビュー画像が白画像である場合を示している。
【０２３９】
ユーザは、プレビュー画像８２を確認し、再撮影を行うか否かを判断する。ユーザは、表示されたプレビュー画像８２が図２４に示した白画像等、放射線Ｘの誤検出により撮影されたものであると判断した場合は、再撮影を指示するために、ディスプレイ３６に表示されたチェックボックス８４にチェックを入れる操作を行った後、終了ボタン８５を操作する。
【０２４０】
一方、ユーザは、放射線画像撮影装置１４では誤検出であると判断したものの、放射線画像が適切に撮影されていた場合は、再撮影を行わず、撮影を完了するために、ディスプレイ３６に表示されたチェックボックス８３にチェックを入れる操作を行った後、終了ボタン８５を操作する。
【０２４１】
次に、本実施の形態の放射線画像撮影装置１４の動作の詳細について説明する。本実施の形態の放射線画像撮影装置１４は、図２５に示した処理を実行する。図２５には、本実施の形態の放射線画像撮影装置１４の制御部２２によって実行される処理の一例の流れを表したフローチャートを示す。本実施の形態の放射線画像撮影装置１４では、制御部２２がＲＯＭに記憶されている処理プログラムを実行することにより、本発明の各機能部として機能して図２５に示した処理を実行する。
【０２４２】
図２５に示すように、本実施の形態の放射線画像撮影装置１４の制御部２２によって実行される処理は、第５の実施の形態の放射線画像撮影装置１４の制御部２２によって実行される処理（図２２参照）において、ステップＳ１０１０の後に、ステップＳ１０１１及びＳ１０１７の処理を実行することが異なっている他は同様であるため、異なる処理のみ説明する。
【０２４３】
図２５に示すように、本実施の形態の放射線画像撮影装置１４では、ステップＳ１０１０の後、ステップＳ１０１１へ移行する。
【０２４４】
ステップＳ１０１１で制御部２２は、上記第２の実施の形態のステップＳ５２０と同様に、放射線検出器２０が放射線Ｘを誤検出したか否かを判断する。制御部２２が誤検出であると判断した場合は、肯定判定となり、ステップＳ１０１２へ移行する。
【０２４５】
一方、制御部２２が誤検出ではないと判断した場合は、否定判定となり、ステップＳ１０１７へ移行する。
【０２４６】
ステップＳ１０１７で制御部２２は、ステップＳ１００８で生成した、画像ＩＤを携帯情報端末装置１６に送信した後、ステップＳ１０１８へ移行する。
【０２４７】
このように本実施の形態の放射線画像撮影装置１４では、放射線Ｘを誤検出していないと判断した場合、すなわち、正規の放射線画像の撮影が行われたと判断した場合は、プレビュー画像を生成せず、生成した画像ＩＤのみを携帯情報端末装置１６に送信する。そのため、この場合は、プレビュー画像の生成に要する時間を省略することができる。
【０２４８】
本実施の形態の放射線画像撮影装置１４では、放射線Ｘの誤検出により得られた放射線画像の画像データと、画像ＩＤとが関連付けられて記憶部２４に記憶された状態になる。また、携帯情報端末装置１６では、放射線Ｘの誤検出により得られた放射線画像の画像データと、患者ＩＤとが関連付けられて記憶部３２に記憶された状態になる。そのため、放射線画像撮影装置１４では、上記ステップＳ１０１１の処理により誤検出であると判断したことを表す情報や、携帯情報端末装置１６から再撮影を指示されたことを表す情報等を、画像ＩＤにさらに関連付けて記憶部２４に記憶させることが好ましい。
【０２４９】
［第７の実施の形態］
【０２５０】
上記第７の実施の形態の放射線画像撮影システム１０では、放射線画像撮影装置１４が、放射線Ｘを誤検出したと判断した場合に、その誤検出により得られた放射線画像のプレビュー画像を生成して携帯情報端末装置１６に送信し、携帯情報端末装置１６ディスプレイ３６に表示した。これに対して本実施の形態の放射線画像撮影システム１０では。放射線画像撮影装置１４が、放射線Ｘを誤検出していないと判断した場合に、撮影された放射線画像のプレビュー画像を生成して携帯情報端末装置１６に送信し、携帯情報端末装置１６ディスプレイ３６に表示する場合について説明する。
【０２５１】
本実施の形態の放射線画像撮影システム１０は、上記第５の実施の形態の放射線画像撮影システム１０と同様の構成及び動作を備えるため、同一部分については、詳細な説明を省略する。なお、本実施の形態では、放射線画像撮影装置１４の制御部２２が判断部の一例として機能する。
【０２５２】
まず、本実施の形態の携帯情報端末装置１６の動作の詳細について説明する。本実施の形態の携帯情報端末装置１６の制御部３０で実行される処理は、第４の実施の形態の携帯情報端末装置１６の制御部３０で実行される処理（図１８参照）と同一である。
【０２５３】
上述のように、本実施の形態の放射線画像撮影装置１４では、放射線Ｘを誤検出していないと判断した場合に、撮影された放射線画像のプレビュー画像を生成して携帯情報端末装置１６に送信する。また、放射線Ｘを誤検出したと判断した場合は、放射線画像の画像データ及び画像ＩＤを、携帯情報端末装置１６に送信しない（図２６参照）。
【０２５４】
そのため、本実施の形態の携帯情報端末装置１６では、放射線画像撮影装置１４が放射線Ｘを誤検出していないと判断した場合のみ、画像ＩＤを放射線画像撮影装置１４から受信し、図１８に示したステップＳ９１２で肯定判定となる。
【０２５５】
ところで、放射線画像撮影装置１４が放射線Ｘを誤検出していないと判断した場合の放射線画像が適切ではない場合が有る。
【０２５６】
このような場合としては、例えば、上述したように、撮影された放射線画像に目的とする部位が含まれていなかったり、画像にぼけやブレ等が生じていたりして、撮影によって得られた放射線画像が適切ではない場合がある。また例えば、放射線画像の撮影中に、衝撃等によりノイズ等が発した場合がある。また例えば、実際には誤検出であったが、放射線画像撮影装置１４で放射線Ｘを誤検出していないと判断した場合がある。
【０２５７】
これに対して、本実施の形態の携帯情報端末装置１６では、放射線画像撮影装置１４が放射線Ｘを誤検出していないと判断した場合の、プレビュー画像の画像データ及び画像ＩＤを受信してディスプレイ３６にプレビュー画像を表示させて（ステップＳ９１４）、ユーザにプレビュー画像を確認させることができる。
【０２５８】
したがって、放射線画像が適切ではない場合に、ユーザは、再撮影を指示することができる。
【０２５９】
次に、本実施の形態の放射線画像撮影装置１４の動作の詳細について説明する。本実施の形態の放射線画像撮影装置１４は、図２６に示した処理を実行する。図２６には、本実施の形態の放射線画像撮影装置１４の制御部２２によって実行される処理の一例の流れを表したフローチャートを示す。本実施の形態の放射線画像撮影装置１４では、制御部２２がＲＯＭに記憶されている処理プログラムを実行することにより、本発明の各機能部として機能して図２６に示した処理を実行する。
【０２６０】
図２６に示すように、本実施の形態の放射線画像撮影装置１４の制御部２２によって実行される処理は、第５の実施の形態の放射線画像撮影装置１４の制御部２２によって実行される処理（図２５参照）において、ステップＳ１００６の後に、ステップＳ１００７の処理を実行すること、及びステップＳ１０１１で否定判定となった場合にステップＳ１００４に移行することの他は同様であるため、異なる処理のみ説明する。
【０２６１】
図２６に示すように、本実施の形態の放射線画像撮影装置１４では、ステップＳ１００６の後、ステップＳ１００７へ移行する。
【０２６２】
後述するステップＳ１０１１で肯定判定となり、ステップＳ１００４に戻った場合、すでに、ステップＳ１００８の処理により、画像ＩＤが生成された状態にある。この画像ＩＤには、適切な放射線画像の画像データが関連付けられていない。そのため、放射線Ｘの誤検出により得られた放射線画像の画像データを廃棄した場合等は、この画像ＩＤを、これから撮影する放射線画像の画像データに関連付ける画像ＩＤとして再利用することができる。
【０２６３】
そこで、ステップＳ１００７で制御部２２は、画像ＩＤを生成するか否かを判断する。再利用しない場合は、ステップＳ１００８へ移行して画像ＩＤを新たに作成する。一方、再利用する場合は、ステップＳ１０１０へ移行する。ここで画像ＩＤを再利用するか否かの判断方法は、特に限定されない。例えば、ステップＳ１０１１で否定判定となった後の場合にステップＳ１００７を実行する場合は、再利用すると判断してもよい。また例えば、ユーザの設定に基づいて判断してもよい。
【０２６４】
一方、ステップＳ１００７で肯定判定となった場合は、ステップＳ１０１０へ移行する。この場合のステップＳ１０１０では、再利用された画像ＩＤと、ステップＳ１００６で取得した放射線画像の画像データとが関連付けられて記憶部２４に記憶される。この場合、すでに、同じ画像ＩＤと、放射線Ｘの誤検出により得られた放射線画像の画像データとが対応付けられて、記憶部２４に記憶された状態となっている。そのため、本実施の形態の制御部２２は、同一の画像ＩＤ、及びこの画像ＩＤに関連付けられた放射線画像の画像データを記憶部２４から削除し、再利用された画像ＩＤと、放射線画像の画像データとを関連付けて記憶部２４に記憶させることにより、記憶部２４における同一画像ＩＤの重複を抑制する。
【０２６５】
以上説明したように、上記各実施の形態の放射線画像撮影システム１０では、コンソール１８を用いずに放射線画像の撮影を行う場合、放射線画像撮影装置１４は、画像ＩＤを生成して、携帯情報端末装置１６に送信する。携帯情報端末装置１６は、受信した画像ＩＤと患者ＩＤとを関連付けて記憶部３２に記憶する。また、放射線画像撮影装置１４は、撮影した放射線画像の画像データと、画像ＩＤとを関連付けて記憶部２４に記憶する。撮影が終了した後に、別途、コンソール１８は、携帯情報端末装置１６から、関連付けられた画像ＩＤと患者ＩＤとを受信する。また、コンソール１８は、放射線画像撮影装置１４から関連付けられた画像ＩＤと画像データとを受信する。
【０２６６】
従って、本実施の形態の放射線画像撮影システム１０では、コンソール１８で、画像ＩＤに基づいて、患者ＩＤと、画像データとを適切に関連付けることができ、携帯情報端末装置１６を用いて放射線画像を撮影する場合のユーザの利便性を向上することができる。
【０２６７】
また、上記各実施の形態の放射線画像撮影システム１０では、放射線画像を撮影する場合に、画像ＩＤと関連付情報が放射線画像撮影装置１４と携帯情報端末装置１６の間で通信され、画像データは通信されない。上記各実施の形態の放射線画像撮影システム１０では、画像ＩＤ、及び関連付情報である容量の少ないデータを通信することにより、放射線画像撮影装置１４と携帯情報端末装置１６との間の通信環境（回線容量やノイズ等の影響の有無等）を考慮した通信を行うことができる。撮影において、被検体Ｗのポジショニング等の邪魔になることを考慮して、一般に有線で通信を行うよりも、無線で通信が行われている。無線で通信を行う場合、混信する懸念が高くなり、画像データのように容量が大きいものを通信すると、通信遅延や、通信ができなくなる場合がある。また、画像データを通信する場合、速度の観点で、Bluetooth（登録商標）やビーコンモジュール等の汎用的、かつ低コストの通信モジュールが使用できなくなる。これに対して、上記各実施の形態の放射線画像撮影システム１０では、撮影の場において、画像データを通信しないため、このような問題を抑制することができる。
【０２６８】
また、上記各実施の形態の放射線画像撮影システム１０の携帯情報端末装置１６では、画像データを記憶しないため、記憶部３２を容量の小さな記憶部（メモリ）とすることができる。
【０２６９】
また、放射線画像撮影装置が、オーダを受信し、画像データとオーダとを関連付けた場合、撮影順（オーダー）を変更すると、ずれこんでしまい関連付けが容易にできなくなる懸念があった。このようなずれを修正する場合、放射線画像撮影装置にそのための操作部や表示部を設ける必要が有り、放射線画像撮影装置の重量が増加したり、コストが増加したりする場合があった。一方、上記各実施の形態の放射線画像撮影装置１４では、放射線画像撮影装置１４は、オーダを受信せず、画像ＩＤと画像データとを関連付けるので、このような問題を抑制することができる。
【０２７０】
なお、上記各実施の形態では、放射線画像撮影装置１４が画像ＩＤを生成する場合について説明したが、携帯情報端末装置１６で生成するようにしてもよい。携帯情報端末装置１６で生成する場合の携帯情報端末装置１６の制御部３０で実行される処理の一例について図２７に示す。なお、図２７では、第１の実施の形態の携帯情報端末装置１６において、画像ＩＤも生成する場合を示している。そのため、処理の流れは、画像ＩＤを生成する点が異なる他は、第１の実施の形態と同様であり、第１の実施の形態におけるステップＳ１０６（図３参照）に代わり、ステップＳ１０７が設けられている。ステップＳ１０７では、関連付情報に加えて、画像ＩＤを作成して、関連付情報に加えて画像ＩＤを放射線画像撮影装置１４に送信する。このような場合、図示を省略するが、放射線画像撮影装置１４では、画像ＩＤを生成せず、携帯情報端末装置１６から受信した画像ＩＤと、放射線画像の画像データとを対応付けて記憶部２４に記憶するようにすればよい。なお、放射線画像撮影装置１４で放射線画像の撮影後、または記憶部２４に記憶した後に、画像ＩＤを携帯情報端末装置１６に送信し、携帯情報端末装置１６が、適切に関連付けられたか否かを判断するようにしてもよい。
【０２７１】
また、画像ＩＤは、撮影の前に生成してもよい（例えば、第１の実施の形態）し、撮影の後（例えば、第２の実施の形態）に生成してもよい。また、撮影の前及び後に生成してもよい。
【０２７２】
このように、画像ＩＤは、放射線画像撮影装置１４及び携帯情報端末装置１６のいずれで生成してもよく、撮影の前後のいずれで生成してもよいが、放射線画像撮影装置１４が、撮影終了後に生成することが好ましい。このようにすることにより、放射線画像撮影装置１４では、記憶部２４に記憶しておく画像データと、画像ＩＤとを確実に関連付けることができるようになる。
【０２７３】
また、放射線画像撮影システム１０が複数の携帯情報端末装置１６を備える場合に、携帯情報端末装置１６毎に画像ＩＤを生成するため、携帯情報端末装置１６毎に同じ画像ＩＤを生成してしまう場合がある。このような場合、放射線画像撮影装置１４では、記憶部２４内に同じ画像ＩＤが存在することになるため、画像ＩＤを生成した携帯情報端末装置１６を区別しなくてはならなくなる。しかしながら、放射線画像撮影装置１４で画像ＩＤを生成することにより、記憶部２４内に同じ画像ＩＤが存在することを防止することができるようになる。なお、この場合、放射線画像撮影システム１０が複数の放射線画像撮影装置１４を備えると、携帯情報端末装置１６では、各放射線画像撮影装置１４から画像ＩＤを受信するため、記憶部３２内に同じ画像ＩＤが存在する可能性があるが、撮影装置ＩＤと画像ＩＤとを関連付けて記憶しておけばよい。
【０２７４】
また、放射線画像撮影システム１０が複数の放射線画像撮影装置１４を備える場合に、携帯情報端末装置１６が画像ＩＤを生成すると、コンソール１８等に全ての放射線画像撮影装置１４で撮影された画像データを集約させた場合に、同一の患者ＩＤに関連付けられた画像ＩＤが連番になる。しかしながら、放射線画像撮影装置１４内では、記憶部２４内に存在する画像ＩＤが連番でなくなる可能性があるが、放射線画像撮影装置１４で画像ＩＤを生成することにより、記憶部２４内に存在する画像ＩＤを連番とすることができる。
【０２７５】
なお、画像ＩＤを、放射線画像撮影装置１４及び携帯情報端末装置１６のいずれで生成するかは、ユーザにより切替可能であってもよいし、ユーザの希望に応じて、放射線画像撮影システム１０等のメンテナンスを行うサービスマン等により切替可能であってもよい。
【０２７６】
また、上記各実施の形態では、放射線画像撮影システム１０が携帯情報端末装置１６を１つ備えた場合について説明したが、これに限らない。放射線画像撮影システム１０は、複数の携帯情報端末装置１６を備えていてもよい。この場合は、使用する携帯情報端末装置１６以外の携帯情報端末装置１６は、有効状態にしないようにするとよい。また、撮影に用いた携帯情報端末装置１６を特定するための情報として、例えば、ＰＤＡＩＤ等を、画像ＩＤと対応付けて記憶部３２に記憶するようにすることが好ましい。
【０２７７】
なお、放射線画像の撮影に与える影響を考慮して、少なくとも、撮影の最中には、画像データの通信を行わないことが好ましい。また、上記各実施の形態で上述した各処理が行われている間は、画像データの通信を行わないことが好ましい。
【０２７８】
なお、上記各実施の形態では、放射線画像撮影装置１４と携帯情報端末装置１６との間で画像ＩＤ及び関連付情報を通信する場合について説明したが、両者の間で通信する情報はこれらに限定されない。画像ＩＤを通信するのに加えて、その他、携帯情報端末装置１６を用いて放射線画像の撮影を行う場合に、撮影の補助となる情報を通信するようにしてもよい。このような情報として、例えば、放射線画像撮影装置１４で撮影可能な放射線画像の枚数（記憶部２４の残量）、キャリブレーションの必要性、放射線画像撮影装置１４の電源（図示省略）の残量情報、放射線Ｘの検出情報、及び無線（放射線画像撮影装置１４と携帯情報端末装置１６との間の通信の無線）強度等が挙げられる。
【０２７９】
なお、画像ＩＤには、その他の情報を関連付けて記憶させることが好ましい。
【０２８０】
例えば、放射線照射装置１２から放射線画像撮影装置１４に対して放射線Ｘを照射した実績を表す、照射実績情報を関連付けてもよい。この実績を表す情報の具体例としては、管電流、管電圧、照射時間、及び照射領域（コリメータの開口領域）等が挙げられる。放射線画像の撮影において、被検体Ｗを透過することにより発生した散乱線を除去するためのグリッドを用いずに撮影を行い、撮影された放射線画像の画像データに対して画像処理によりグリッドを設けた場合と同様に、使用を想定したグリッドの特性に基づいて、散乱線の影響を除去する仮想グリッド処理を行う場合がある。散乱線の量は、照射された放射線Ｘの線量に対応するため、上記実績を表す情報を関連付けておくことにより、関連付けられた放射線画像の画像データに対する仮想グリッド処理の精度を向上させることができる。
【０２８１】
また、グリッドを用いて撮影を行ったか否かを表す情報を関連付けてもよい。この場合、関連付けられた放射線画像の画像データに対して仮想グリッド処理を行うか否かを判断することができる。
【０２８２】
また、撮影を行ったユーザを表す情報（ユーザＩＤ等）を関連付けてもよい。
【０２８３】
また、放射線画像の上下（天地）を表す情報を関連付けてもよい。この場合、関連付けられた放射線画像をユーザが読影する場合に、放射線画像の上下（天地）を読影に用いられる装置が自動的に調整することができる。
【０２８４】
また、オーダをどこから受け付けたかを表す情報（例えば、コンソール１８であればコンソールＩＤ等）を関連付けてもよい。この場合、オーダの送信元を容易に特定することができる。
【０２８５】
また、一般的に、放射線画像の撮影を行う場合に、予め得られているオーダとは別途に、追加の撮影（以下、「追加撮影」という）の要求が発生する場合がある。この場合に、携帯情報端末装置１６がコンソール１８や外部のシステムと接続していないと、追加撮影に対応するオーダが未発行のまま、先に放射線画像の撮影を行い、撮影後にコンソール１８や外部のシステムと接続されると、オーダと放射線画像の画像データとの関連付けが行われる。そのため、追加撮影等、オーダが発行されていない状態で撮影を行った場合は、オーダが未発行である旨を表す情報を関連付けてもよい。この場合、撮影後に、放射線画像の画像データと、オーダとをコンソール１８等で関連付けるのが容易になる。
【０２８６】
また、上記第５〜第６の実施の形態では、放射線画像撮影装置１４が、プレビュー画像の画像データを送信する場合、プレビュー画像の画像データとこの画像データに対応する画像ＩＤとを同じとみなせるタイミング（同じタイミング）で携帯情報端末装置１６に送信していたが、異なるタイミングで携帯情報端末装置１６に送信してもよい。
【０２８７】
また、上記第５〜第６の実施の形態では、放射線画像撮影装置１４が、放射線画像を取得した後に、画像ＩＤを生成していたが、放射線画像の取得前（撮影前）に画像ＩＤを生成して携帯情報端末装置１６に送信してもよい。
【０２８８】
また、放射線画像撮影装置１４が、放射線Ｘを誤検出したか否かを判断している、上記第２、第６、第７の実施の形態の場合、放射線画像撮影装置１４が生成して記憶部２４に記憶させた画像ＩＤの数と、携帯情報端末装置１６が放射線画像撮影装置１４から受信して記憶部３２に記憶させた画像ＩＤの数が異ならないことが好ましい。そのため、例えば、放射線画像撮影装置１４に生成して記憶部２４に記憶させた画像ＩＤの数を計測するカウンタ等を設け、このカウンタのカウント値を携帯情報端末装置１６に送信し、携帯情報端末装置１６では、適宜、受信したカウンタのカウント値と、記憶部３２に記憶させた画像ＩＤの数とを比較し、一致しない場合は、警告等するようにすることが好ましい。また、携帯情報端末装置１６は、カウンタのカウント値をディスプレイ３６に表示させてもよい。
【０２８９】
また、画像ＩＤの構成については、特に限定されないが、同一の被検体Ｗを撮影した放射線画像や、大きな撮影対象に対する撮影領域を分割して複数回撮影を行う分割撮影等、予め定められた一連の撮影により得られた放射線画像には、その旨を表す情報が含まれていることが好ましい。例えば、分割撮影の場合、画像ＩＤの構成を同一番号＋分割順に応じた符号（具体例として、ａ、ｂ、ｃ等）等とすることにより、撮影後に、放射線画像を合成して、１つの大きな撮影領域の応じた画像を生成する場合に、放射線画像の合成を容易にすることができる。
【０２９０】
なお、上記各実施の形態では、回診車等を用いた放射線画像撮影システム１０について詳細に説明したこれに限定されるものではない。例えば、放射線画像撮影システム１０全体または、放射線画像撮影システム１０の一部を病院外、さらには屋外に配置して使用するものであってもよい。この場合、放射線画像撮影システム１０全体（全装置）がバッテリ駆動するものであってもよい。
【０２９１】
また、上記各実施の形態では、予め各処理プログラムが制御部２２や制御部３０に記憶されている場合について説明したが、ＣＤ−ＲＯＭ（Compact Disc Read Only Memory）やＵＳＢ（Universal Serial Bus）メモリ等の記録媒体や、外部装置等から取得して、記憶させてもよい。
【０２９２】
また、上記各実施の形態では、本発明の放射線は、特に限定されず、Ｘ線やγ線等を適用することができる。
【０２９３】
また、上記各実施の形態で説明した放射線画像撮影システム１０、放射線画像撮影装置１４、携帯情報端末装置１６、及びコンソール１８等の構成、動作等は一例であり、本発明の主旨を逸脱しない範囲内において状況に応じて変更可能であることは言うまでもない。また、上記各実施の形態を組み合わせてもよいことはいうまでもない。
【符号の説明】
【０２９４】
１０  放射線画像撮影システム
１２  放射線照射装置
１４  放射線画像撮影装置
１６  携帯情報端末装置
１８  コンソール
２０  放射線検出器
２２、３０、５０  制御部
２４、３２、５２  記憶部
２８、４４、６４  Ｉ／Ｆ部
３４、５４  ディスプレイドライバ
３６、５６  ディスプレイ
３８、５８  操作入力検出部
４０、６０  操作部
【図１】
2016034470.tif 000003
【図２】
2016034470.tif 000004
【図３】
2016034470.tif 000005
【図４】
2016034470.tif 000006
【図５】
2016034470.tif 000007
【図６】
2016034470.tif 000008
【図７】
2016034470.tif 000009
【図８】
2016034470.tif 000010
【図９】
2016034470.tif 000011
【図１０】
2016034470.tif 000012
【図１１】
2016034470.tif 000013
【図１４】
2016034470.tif 000014
【図１５】
2016034470.tif 000015
【図１６】
2016034470.tif 000016
【図１７】
2016034470.tif 000017
【図１８】
2016034470.tif 000018
【図１９】
2016034470.tif 000019
【図２０】
2016034470.tif 000020
【図２１】
2016034470.tif 000021
【図２２】
2016034470.tif 000022
【図２３】
2016034470.tif 000023
【図２４】
2016034470.tif 000024
【図２５】
2016034470.tif 000025
【図２６】
2016034470.tif 000026
【図２７】
2016034470.tif 000027
【図１２】
2016034470.tif 000028
【図１３】
2016034470.tif 000029